(57)【特許請求の範囲】
【請求項１】
開閉可能な羽根部材を備えた電動役物と、
遊技球が図柄作動口に入球することに起因して所定の図柄を可変表示させる可変表示手段と、
該可変表示手段に表示される図柄が特定の図柄で確定する第１の条件、又は、遊技球が特定作動口に入球することに起因して前記電動役物を遊技者に有利な遊技状態とし且つ遊技球が前記電動役物内に設けた特定領域を通過する第２の条件のいずれかに起因して、前記電動役物を遊技者に有利な特別遊技状態に連続作動させる制御手段と、を備え、
該連続作動が実行されていない通常時において、前記特定作動口に入球して、前記電動役物が作動し、停止したときの前記電動役物内の残存球が前記電動役物内の特定領域を通過し得るに十分な、前記残存球の通過を有効とする有効期間を設定し、
かつ、前記連続作動が実行されていない通常時において、前記特定作動口への入球から当該入球による前記電動役物の作動を行うまでの間に、前記有効期間と同一の長さ以上の遅延期間を設定したことを特徴とする遊技機。
【請求項２】
開閉可能な羽根部材を備えた電動役物と、
遊技球が図柄作動口に入球することに起因して所定の図柄を可変表示させる可変表示手段と、
該可変表示手段に表示される図柄が特定の図柄で確定する第１の条件、又は、遊技球が特定作動口に入球することに起因して前記電動役物を遊技者に有利な遊技状態とし且つ遊技球が前記電動役物内に設けた特定領域を通過する第２の条件のいずれかに起因して、前記電動役物を遊技者に有利な特別遊技状態に連続作動させる制御手段と、を備え、
該連続作動が実行されていない通常時において、前記特定作動口に入球して、前記電動役物が作動し、停止したときの前記電動役物内の残存球が前記電動役物内の特定領域を通過し得るに十分な前記残存球の通過を有効とする有効期間を設定し、
かつ、前記連続作動が実行されていない通常時において、前記電動役物の作動終了後、前記特定作動口の機能が停止される無効期間を、前記有効期間と同一の長さ以上に設定したことを特徴とする遊技機。
【請求項３】
前記連続作動の各作動の終了条件は、前記羽根部材の所定時間の開放、又は前記第１の条件若しくは第２の条件のいずれが前記連続作動の起因となったときでも前記羽根部材からの入球数が所定球数に達したことを条件とし、
前記終了条件成立以後に前記有効期間を設定することを特徴とする請求項１又は２の遊技機。
【請求項４】
前記連続作動の各作動の終了条件は、前記羽根部材の所定時間の開放、又は前記第１の条件が起因となるときは前記特定領域及び非特定領域への通過数の合計が所定通過数、若しくは前記第２の条件が起因となるときは前記羽根部材からの入球数は所定球数に達したことを条件とし、
前記終了条件成立後に前記有効期間を設定し、
更に前記第１の条件又は第２の条件のいずれが前記起因となっても、前記特定領域への遊技球の通過を前記連続作動の継続条件として設定したことを特徴とする請求項１又は２の遊技機。
【請求項５】
前記第１の条件が前記起因となるとき、前記特定領域への遊技球の通過を前記連続作動の継続条件とせず、
前記第２の条件が前記起因となるとき、前記特定領域への遊技球の通過を前記連続作動の継続条件として設定したことを特徴とする請求項４の遊技機。
【請求項６】
前記第１の条件又は第２の条件のいずれが前記起因となっても、前記特定領域への遊技球の通過を前記連続作動の継続条件とせず、
前記有効期間の設定は前記第２の条件が起因となるときのみ設定されることを特徴とする請求項１又は２の遊技機。
【請求項７】
前記特定領域の領域幅を可変とし、
前記第１の条件が前記起因となるときと、前記第２の条件が前記起因となるときとで、該領域への遊技球の通過率を異なるように設定したことを特徴とする請求項３の遊技機。
【請求項８】
前記羽根部材から入球する遊技球を全て１つの通過口へ誘導し、
該通過口への誘導に起因して乱数の抽選を実行し、
前記第１の条件が前記起因となるときと、前記第２の条件が前記起因となるときとで、該抽選確率を異ならせ、
前記抽選結果に起因して、前記連続作動の継続確率を決定することを特徴とする請求項３の遊技機。
【発明の詳細な説明】
【０００１】
【発明の属する技術分野】
本発明は、遊技機に関し、詳しくは、遊技盤面上に遊技球を発射するパチンコ遊技機に関する。
【０００２】
【従来の技術】
遊技機、例えばパチンコ遊技機、とりわけ俗称「羽根モノ」は、特別電動役物に飛行機の羽根形状の開閉部品がついていることから、飛行機台ともいうが、通常時、１つの羽根作動口に入賞すると、一対の羽根が０．９秒間、１回開放し、他の羽根作動口に入賞すると０．９秒間、２回開放する。羽根の開放中に運良く入賞し、その入賞した遊技球が条件装置作動領域（Ｖ通過口）を通過すると大当りが発生する。大当り時には１回のラウンド動作は、羽根が１８回以下の開放動作（開放時間の合計は３０秒以下）、又は遊技球１０個の入賞により終了する。但し、上記大当り動作中に入賞球がＶ通過口を通過すると、羽根の開放動作は終了する。この点がフィーバー機と異なり、出玉が少なくなる。入賞球がＶ通過口を通過しないと、羽根の１８回開閉又は遊技球が１０個入賞するものの、そのラウンドで大当りは終了してしまう。その１つの対策として、遊技球が１０個入賞するまで、入賞した遊技球を停留させておき、一挙に流下させる手段も考えられる。しかし、羽根の１８回以下の開閉動作が終了した時点以降にＶ通過口を通過することもあり、Ｖ通過口の通過は無効である。
【０００３】
【発明が解決しようとする課題】
又一方、従来の「羽根モノ」の殻を打ち破った創造性豊かな遊技機が要望されている。
【０００４】
そこで、本発明の遊技機は、前述した課題を好適に解決することを目的として為されたものであり、開閉可能な羽根部材を備えた遊技機において、創造性豊かな羽根部材を供えた遊技機を提供するとともに、連続作動が実行されていない通常時において、有効期間が重複するといったことや連続となることを防止することにある。
【０００５】
【課題を解決するための手段】
前記課題を解決するため請求項１に記載の遊技機は、開閉可能な羽根部材を備えた電動役物と、遊技球が図柄作動口に入球することに起因して所定の図柄を可変表示させる可変表示手段と、該可変表示手段に表示される図柄が特定の図柄で確定する第１の条件、又は、遊技球が特定作動口に入球することに起因して前記電動役物を遊技者に有利な遊技状態とし且つ遊技球が前記電動役物内に設けた特定領域を通過する第２の条件のいずれかに起因して、前記電動役物を遊技者に有利な特別遊技状態に連続作動させる制御手段と、を備え、該連続作動が実行されていない通常時において、前記特定作動口に入球して、前記電動役物が作動し、停止したときの前記電動役物内の残存球が前記電動役物内の特定領域を通過し得るに十分な、前記残存球の通過を有効とする有効期間を設定し、かつ、前記連続作動が実行されていない通常時において、前記特定作動口への入球から当該入球による前記電動役物の作動を行うまでの間に、前記有効期間と同一の長さ以上の期間を設定したことを特徴とする遊技機である。これにより、羽根モノにフィーバー機能を加味した遊技を創造でき、前記課題が好適に解決できる。
【０００６】
ここでいう連続作動は電動役物の羽根部材の作動と停止を繰り返すものが例示され、連続作動の停止には一時停止を含む。また、特定領域は、特別領域を兼ねるものでも良いし、別途設けられるものでも良い。
請求項１により、連続作動が実行されていない通常時において、特定作動口への入球から当該入球による前記電動役物の作動を行うまでの間に、前記有効期間と同一の長さ以上の遅延期間を設定したことで、仮に、有効期間内に再び特定作動口への入球があっても、この有効期間中には電動役物は作動しない。この結果、通常時における有効期間が重複するといったことや連続となることを防止できる。
【０００７】
請求項２に記載の遊技機は、開閉可能な羽根部材を備えた電動役物と、遊技球が図柄作動口に入球することに起因して所定の図柄を可変表示させる可変表示手段と、該可変表示手段に表示される図柄が特定の図柄で確定する第１の条件、又は、遊技球が特定作動口に入球することに起因して前記電動役物を遊技者に有利な遊技状態とし且つ遊技球が前記電動役物内に設けた特定領域を通過する第２の条件のいずれかに起因して、前記電動役物を遊技者に有利な特別遊技状態に連続作動させる制御手段と、を備え、該連続作動が実行されていない通常時において、前記特定作動口に入球して、前記電動役物が作動し、停止したときの前記電動役物内の残存球が前記電動役物内の特定領域を通過し得るに十分な前記残存球の通過を有効とする有効期間を設定し、かつ、前記連続作動が実行されていない通常時において、前記電動役物の作動終了後、前記特定作動口の機能が停止される無効期間を、前記有効期間と同一の長さ以上に設定したことを特徴とする遊技機である。これにより、連続作動が実行されていない通常時において電動役物の作動終了後、特定作動口への入球を無効化することで、仮に、有効期間内に再び特定作動口への入球があっても、この有効期間中には電動役物は作動しない。この結果、通常時における有効期間が重複するといったことや連続となることを防止できる。
【０００８】
尚、請求項１及び２において、特定作動口、図柄作動口等への入球に伴う賞球の有無は任意に設定可能である。
【０００９】
請求項３に記載の遊技機は、前記連続作動の各作動の終了条件は、前記羽根部材の所定時間の開放、又は前記第１の条件若しくは第２の条件のいずれが前記連続作動の起因となったときでも前記羽根部材からの入球数が所定球数に達したことを条件とし、前記終了条件成立以後に前記有効期間を設定することを特徴とする請求項１又は２の遊技機である。これにより請求項１又は２と同様の課題が達成できる上、終了条件のバリエーションが豊富になり充実した遊技が楽しめる。
【００１０】
請求項４に記載の遊技機は、前記連続作動の各作動の終了条件は、前記羽根部材の所定時間の開放、又は前記第１の条件が起因となるときは前記特定領域及び非特定領域への通過数の合計が所定通過数、若しくは前記第２の条件が起因となるときは前記羽根部材からの入球数が所定球数に達したことを条件とし、前記終了条件成立後に前記有効期間を設定し、更に前記第１の条件又は第２の条件のいずれが前記起因となっても、前記特定領域への遊技球の通過を前記連続作動の継続条件として設定したことを特徴とする請求項１又は２の遊技機である。これにより請求項１又は２と同様の課題を達成できる上、第１の条件の終了条件と第２の条件とを明確に区別することで、処理の簡素化、或いはメリハリのある遊技が実現できる。
ここでいう非特定領域は特定領域以外の領域をいい、特定領域の近辺に設けられたものであり、その数、大きさ、場所等は任意に設定可能であり、例えば、特定領域の両側に非特定領域を１個ずつ設置したもの、或いは、特定領域と非特定領域とを１個ずつ連設したもの等、様々な変更形態が挙げられる。
【００１１】
請求項５記載の遊技機は、前記第１の条件が前記起因となるとき、前記特定領域への遊技球の通過を前記連続作動の継続条件とせず、前記第２の条件が前記起因となるとき、前記特定領域への遊技球の通過を前記連続作動の継続条件として設定したことを特徴とする請求項４の遊技機である。これにより請求項４と同様な課題を達成できる上、第２の条件による継続がなされるかどうか遊技者が一喜一憂することで趣向性を高めることができる。
【００１２】
請求項６記載の遊技機は、前記第１の条件又は第２の条件のいずれが前記起因となっても、前記特定領域への遊技球の通過を前記連続作動の継続条件とせず、前記有効期間の設定は前記第２の条件が起因となるときのみ設定されることを特徴とする請求項１又は２の遊技機である。これにより請求項１又は２と同様な課題を達成できる上、処理が簡素化されるとともに、遊技者にとって継続条件の成立の心配から開放される。
【００１３】
請求項７記載の遊技機は、前記特定領域の領域幅を可変とし、前記第１の条件が前記起因となるときと、前記第２の条件が前記起因となるときとで、該領域への遊技球の通過率を異なるように設定したことを特徴とする請求項３の遊技機である。これにより請求項３と同様な課題を達成できる上、遊技者は通過率の向上への期待感を高めることができる。
【００１４】
請求項８記載の遊技機は、前記羽根部材から入球する遊技球を全て１つの通過口へ誘導し、該通過口への誘導に起因して乱数の抽選を実行し、前記第１の条件が前記起因となるときと、前記第２の条件が前記起因となるときとで、該抽選確率を異ならせ、前記抽選結果に起因して、前記連続作動の継続確率を決定することを特徴とする請求項３の遊技機である。これにより請求項３と同様な課題を達成できる上、遊技条件を乱数に依存させることで、通過口の物理的な制約から解放され、通過口の設計の自由度を高めることができる。
【００１５】
【発明の実施の形態】
以下に、本発明の好適な実施形態を図面に基づいて説明する。尚、本発明の実施の形態は、下記の実施形態に何ら限定されるものではなく、本発明の技術的範囲に属する限り種々の形態を採り得る。
図１に示すように、第１実施形態のパチンコ機１０は、大きくは長方形の外枠１１と前面枠１２とからなり、外枠１１の左隣に公知のプリペイドカードユニット１３が設けられている。前面枠１２は、左端上下のヒンジ１４により外枠１１に対し回動可能に取り付けられている。
前面枠１２の下方には上皿１５が設けられ、この上皿１５の上面に貸出釦１６、精算釦１７及び残高表示部１８が設けられている。プリペイドカードユニット１３のカード口１９にプリペイドカードを挿入すると、記憶された残高が残高表示部１８に表示され、貸出釦１６を押下すると遊技球の貸出しが実行され上皿１５の払い出し口より遊技球が排出される。
前面枠１２には、窓状の金枠２０が前面枠１２に対して解放可能に取り付けられている。この金枠２０には板ガラス２１が二重に嵌め込まれている。板ガラス２１の奥には遊技盤２２が収納されている。
上皿１５の前面枠１２下部には、下皿２３が設けられ、下皿２３の右側には発射ハンドル２４が取り付けられている。この発射ハンドル２４の外周には、図示しない回動リングが擁され、これを時計方向に回動すれば遊技球を遊技盤２２上に発射することができる。
上皿１５と下皿２３とは連結されていて、上皿１５が遊技球で満杯状態になれば下皿２３に遊技球を誘導するよう構成されている。
【００１６】
図２はパチンコ機１０の裏面図であり、前述した遊技盤２２を脱着可能に取り付ける機構盤２６が前述した外枠１１に収納されている。この機構盤２６には、上方から、球タンク２７、誘導樋２８及び払出し装置２９が設けられている。
この構成により、遊技盤２２上の入賞口に遊技球の入賞があれば球タンク２７から誘導樋２８を介して所定個数の遊技球を払出し装置２９により前述した上皿１５に排出することができる。
【００１７】
また、機構盤２６には主制御基板３０及び賞球制御基板３１が脱着可能に、遊技盤２２には特別図柄表示装置３２が、前面枠１２左下部には発射制御基板３３が、特別図柄表示装置３２の左側に外部接続端子基板４０が、各々取り付けられている。尚、機構盤２６を中心とした遊技球の払い出し等に関する構造は従来の構成と同様なのでその詳細な説明は割愛する。
【００１８】
次に図３を用いて遊技盤２２について説明する。
図３に示すように、遊技盤２２の下部に設けられた特別図柄作動口としての普通電動役物３６、普通電動役物３６に設けられたＬＥＤからなる普通図柄表示装置３７、普通図柄表示装置３７に表示される図柄の変動開始に用いられる左右の普通図柄作動ゲート３８及び３９、盤面最下部のアウト口４１、左右一対設けられた入賞口５０及び５１、遊技盤２２の中央にある特別電動役物６０、普通電動役物３６の左右に一対設けられた普通入賞口である羽根作動口６１ａ，６１ｂ、その他の各種入賞口、風車及び図示しない遊技釘等が備えられている。特別電動役物６０は、上部に天入賞口５２、その下側にある４つの特別図柄保留記憶表示領域４８ａ〜４８ｄ、天入賞口５２から入球した遊技球を下部領域に誘導する誘導口５３、大入賞口として機能する一対の羽根部材６２ａ，６２ｂ、中央部に特別図柄表示装置３２、羽根部材６２ａ若しくは６２ｂ又は誘導口５３からの遊技球を流下させる、底部の両側に左右一対設けられた球流下路（ワープ通路とも呼ばれる）６７ａ（図４参照）と、手前側に左右一対の球出口６７ｂ（図４参照）とが形成され、奥側に左右一対設けられた非特定領域としての外れ通過口６８、その中央に特定領域としてのＶ通過口６９を備えている。また大当り時に遊技球が１０個入賞するまで入賞した遊技球を停留させておき、１０個入賞時に停留を解除して一挙に流下させる停留装置７０（図４参照）をＶ通過口６９の手前側に備えている。この停留装置７０は、シャッタ７１（図４参照）とシャッタ７１を昇降させる駆動部（図示略）とを備えたものである。シャッタ７１の前方にスロープ７２（図４参照）が設けられ、シャッタ７１が降下されると、球が自然に流下できるようにされている。羽根６２ａ及び６２ｂは羽根作動口６１ａへの入賞に応答して１回開き、羽根作動口６１ｂへの入賞に応答して羽根６２ａ及び６２ｂは２回開く構造とされている。
【００１９】
これにより、羽根作動口６１ａ又は６１ｂへ遊技球の入賞があれば、羽根６２ａ及び６２ｂが１回又は２回０．９秒間開放し、開放したとき遊技球が特別電動役物６０内に入賞すれば、入賞した遊技球は球流下路６７ａを通過して上部から下部に流下し、球出口６７ｂを介してシャッタ７１の手前に停留させられる。停留させられた遊技球は、シャッタ７１を降下させることによりスロープ７２を流下し、運が良ければＶ通過口６９に流れ込み、運が悪ければ左右の外れ通過口６８に流れ込む。
【００２０】
尚、図５に示す様に、特別電動役物６０内に誘導装置８０を設ける構成としても良い。この誘導装置８０は、羽根部材６２ａ，６２ｂからの入賞球を受け入れる球通路８１と、球通路８１と連通する連絡通路８２と、球を受け止めＶ通過口８４ａ又は外れ通過口８４ｂに誘導する誘導部材８３と、表示装置８５とから構成されている。
【００２１】
この構成により、入賞した遊技球は誘導部材８３で受け止められ、このとき図示しないセンサにより受け止められたことが検出され、検出されたタイミングで抽出される乱数の値によりＶ通過口８４ａ又は外れ通過口８４ｂに誘導される。本実施形態では、乱数は０〜９までの１０個の整数を繰り返し作成するタイマーとして構成され、抽出された乱数値に対応した数字図柄を表示装置８５に表示するよう構成されている。
【００２２】
前述した発射ハンドル２４を回動すれば、発射制御基板３３により駆動される発射モータ３３ａ（図６参照）が駆動されて上皿１５上の遊技球がガイドレールに沿って遊技盤２２上に発射される。発射された遊技球が各入賞口に入賞すれば遊技球は盤面裏面にセーフ球として取り込まれ、入賞しなければアウト口４１を介してアウト球として同様に盤面裏面に取り込まれる。
【００２３】
続いて前述したパチンコ機１０の電気的構成を図６のブロック図を用いて説明する。パチンコ機１０の電気回路は、図示するように、主として、前述した主制御基板３０、賞球制御基板３１、特別図柄表示装置３２、発射制御基板３３、ランプ制御基板３４及び音制御基板３５等から構成されている。尚、この回路図には、信号の受け渡しを行うための所謂中継基板及び電源回路等は記載していない。
【００２４】
主制御基板３０は、遊技制御プログラムを記憶したＲＯＭ、演算等を行うＣＰＵ、演算等の作業領域として働くＲＡＭ等を内蔵した８ビットワンチップマイコンを中心とした論理演算回路として構成され、この他各基板又は各種スイッチ類及び各種アクチュエータ類との入出力を行うための外部入出力回路も設けられている。主制御基板３０の入力側には、タッチスイッチ２４ａ、賞球払出しスイッチ２９ａ、特別図柄作動スイッチ３６ａ、普通図柄作動スイッチ３８ａ及び３９ａ、満タンスイッチ４３、補給スイッチ４４、羽根作動スイッチ６３ａ，６３ｂ、カウントスイッチ６４、役物連続作動スイッチ（以下、単に「Ｖスイッチ」と呼ぶ）６５等が接続されている。また、主制御基板３０の出力側には、普通役物ソレノイド３６ｂ、外部接続端子基板４０、及び羽根ソレノイド６６ａ，６６ｂ等が接続されている。更に、主制御基板３０はタイマ回路５６、カウンタ５７と接続されている。
【００２５】
タッチスイッチ２４ａは発射ハンドル２４、賞球払出しスイッチ２９ａは払出し装置２９内の球切りモータ２９ｂ（図６参照）の下方、特別図柄作動スイッチ３６ａは前述した遊技盤２２上の普通電動役物３６内、普通図柄作動スイッチ３８ａ及び３９ａは各々普通図柄作動ゲート３８及び３９内、満タンスイッチ４３は下皿２３内、補給スイッチ４４は球タンク２７内、羽根作動スイッチ６３ａ，６３ｂは羽根作動口６１ａ，６１ｂ内、カウントスイッチ６４は羽根部材６２ａ，６２ｂの取付部近傍、Ｖスイッチ６５はＶ通過口６９内に、各々取り付けられている。
【００２６】
ここでタッチスイッチ２４ａは発射ハンドル２４に内蔵され遊技者が発射ハンドル２４に触れていることを、賞球払出しスイッチ２９ａは球切りモータ２９ｂにより上皿１５に排出される遊技球を、特別図柄作動スイッチ３６ａは普通電動役物３６に入賞したことを、普通図柄作動スイッチ３８ａ，３９ａは普通図柄作動ゲート３８，３９を遊技球が通過したことを、満タンスイッチ４３は下皿２３内に遊技球が満タン状態になったことを、補給スイッチ４４は球タンク２７内に遊技球が存在することを、羽根作動スイッチ６３ａ，６３ｂは羽根作動口６１ａ，６１ｂに入賞したことを、カウントスイッチ６４は羽根部材６２ａ，６２ｂ部分から入賞する全ての遊技球を、Ｖスイッチ６５は羽根部材６２ａ，６２ｂ部分から入賞した遊技球がＶ通過口６９（Ｖ領域）を通過したことを、各々検出するためのものである。
【００２７】
また、主制御基板３０の出力側に接続された普通役物ソレノイド３６ｂは普通電動役物３６、羽根ソレノイド６６ａ，６６ｂは羽根部材６２ａ，６２ｂの各々の開閉に使用されるものである。
【００２８】
特別図柄表示装置３２は、ＬＣＤパネルユニット３２ａと、これを駆動制御する図柄表示装置制御基板（以下、単に「図柄制御基板」という。）３２ｂ及びバックライト及びインバータ基板等の付属ユニット３２ｃから構成されている。図柄制御基板３２ｂは、前述した主制御基板３０と同様８ビットワンチップマイコンを中心とした論理演算回路として構成されている。
【００２９】
賞球制御基板３１は、主制御基板３０からの指令コマンドに従って球切りモータ２９ｂを駆動制御して入賞があった場合に遊技者に賞球としての遊技球を払い出すと共に、前述したプリペイドカードユニット１３及びＣＲ精算表示基板４７等も制御するものであり、マイクロコンピュータを用いた論理演算回路として構成しても良いし、ディスクリートな回路として構成しても良い。ＣＲ精算表示基板４７は、前述した上皿１５の貸出釦１６、精算釦１７及び残高表示部１８等と接続されたものである。
【００３０】
賞球制御基板３１は主制御基板３０からの指令に従って遊技球を払い出すが、入賞に対応した遊技球が払い出されているか否かの検知は主制御基板３０で行われる。この遊技球が払い出されているか否かの検知は、主制御基板３０及び賞球制御基板３１の双方で行っても良い。
【００３１】
発射制御基板３３は、遊技者が操作する発射ハンドル２４の回動量に応じて発射モータ３３ａを駆動制御するものであり、その他遊技者が発射停止スイッチ２４ｂを押下したとき発射を停止させたり、発射ハンドル２４に内蔵された前記タッチスイッチ２４ａがオン状態のときタッチランプ４５を点灯させるためのものである。
ランプ制御基板３４は主としてトランジスタ等の駆動素子から構成されており、主制御基板３０からの指令を受けて普通図柄表示装置３７、大当りランプやエラーランプ等の各種ランプ５８及び各種ＬＥＤ５９等の各種ランプ類を点灯表示させるためのものである。
音制御基板３５は音源ＩＣ及びアンプ等から構成されており、主制御基板３０の指令を受けてスピーカ４６を駆動制御するためのものである。
前述した特別図柄表示装置３２、賞球制御基板３１、発射制御基板３３、ランプ制御基板３４及び音制御基板３５への送信は、主制御基板３０からのみ送信することができるよう一方向通信の回路として構成されているが、双方向の通信も可能であるように構成できる。
【００３２】
以上説明した回路構成を有するパチンコ機１０の主制御基板３０内の８ビットワンチップマイコン（以下、単に「マイコン」と呼ぶ。）が実行する処理を図７に示すフローチャートに従って説明することにする。
【００３３】
図７に示すフローチャートは、主制御基板３０のマイコンにより実行されるメイン処理を表したものであり、約２ms毎のハードウェア割り込みにより定期的に実行される処理である。ステップＳ１〜Ｓ１１までの各処理は割り込み処理において１回だけ実行される処理であって「本処理」と称し、この本処理を実行して余った時間内に時間の許す限り繰り返し実行されるステップＳ１２及びＳ１３の処理を「残余処理」と称する。
【００３４】
マイコンによるハードウェア割り込みが実行されると、スタックポインタの設定が行われた後、正常割り込みであるか否かが判断される（ステップＳ１）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。通常でない場合としては、電源投入時又はノイズ等によるマイコンの暴走等が考えられるが、マイコンの暴走は近年の技術の向上によりほとんど無いものと考えて良いので、大抵が電源投入時である。電源投入時には、ＲＡＭの所定領域の値が所定値と異なる値となっている。
【００３５】
正常割り込みでないと判断されると（ステップＳ１：ＮＯ）、前記メモリの所定領域に所定値を書込み、特別図柄及び普通図柄を初期図柄とする等のメモリの作業領域への各初期値の書込み、即ち初期設定が為される（ステップＳ２）。
【００３６】
正常割り込みとの肯定判断が為されると（ステップＳ１：ＹＥＳ）、まず初期乱数更新処理が実行される（ステップＳ３）。この処理は、図８（ａ）に示すように、初期乱数の値をこの処理を実行する毎に＋１とするインクリメント処理であり、この処理実行前の初期乱数の値に＋１とするが、この処理を実行する前の乱数値が最大値である「３２９」のときには次回の処理で初期値である「０」に戻り、「０」〜「３２９」までの３３０個の整数を繰り返し昇順に作成する。
【００３７】
ステップＳ３に続く当否乱数更新処理（ステップＳ４）は、初期乱数更新処理と同様に処理を実行する毎に＋１とするインクリメント処理であるが、図８（ｂ）に示すように、最大値である「３２９」に至ると次回の処理では、そのときの前記初期乱数の値を初期値（以下、「更新初期値」という。）とし、更に割り込み毎に＋１とする処理を続行して更新初期値より「１」少ない値（以下、「更新最大値」という。）に至れば次回の処理では、更にそのときの初期乱数の値を初期値とし「０」〜「３２９」までの３３０個の整数値を繰り返し作成する。即ち、割り込み処理毎に＋１とし、乱数を構成する要素を「０」〜「３２９」までの３３０個の整数値とすることは前記初期乱数と何等変わることはないが、今回の更新最大値（図では「１５７」「２４」「２５７」）に至れば次回の割り込み処理ではそのときの更新初期値（図では「１５８」「２５」「２５８」「９５」）を初期値とし更新最大値に至るまで割り込み毎に＋１とし、更に次回の更新初期値を初期値とする構成である。これにより、当否乱数は、乱数を構成する要素を「０」〜「３２９」までの３３０個の整数値とし、割り込み処理毎に＋１とするが、更新最大値に至れば、次回の割り込み処理ではそのときの初期乱数により決定される値に変更されるので、当否乱数の値を予測不可能にすることができる。また、更新初期値と更新最大値とにより決定される乱数の構成要素は従来の当否乱数と同じ「０」〜「３２９」の３３０個の整数値と何等変わることがないので乱数を構成する要素の出現率を均一にしている。
【００３８】
大当り図柄乱数更新処理（ステップＳ５）は、「０」〜「１４」の１５個の整数を繰り返し作成するカウンタとして構成され、本処理毎に＋１とされ最大値を超えると初期値である「０」に戻る。１５個の各乱数値「０」〜「１４」は、画面上に表示される３桁同一の「１１１」、「２２２」、「３３３」、「４４４」、「５５５」、「６６６」、「７７７」、「８８８」、「９９９」、［ＡＡＡ」、「ＢＢＢ」、「ＣＣＣ」、「ＤＤＤ」、「ＥＥＥ」、「ＦＦＦ」に各々対応する。
【００３９】
外れ図柄乱数更新処理（ステップＳ６）は、左図柄用乱数、中図柄用乱数及び右図柄用乱数から構成され、大当りでないときの外れ図柄として使用される。左図柄用乱数は、「０」〜「１４」の１５個の整数を繰り返し作成するカウンタとして構成され、本処理毎に＋１とされ最大値を超えると初期値である「０」に戻る。中図柄用乱数は、「０」〜「１４」の１５個の整数を繰り返し作成するカウンタとして構成され、左図柄用乱数が「０」に戻るときに本処理毎に＋１とされ最大値を超えると「０」に戻る。右図柄用乱数は、「０」〜「１４」の１５個の整数を繰り返し作成するカウンタとして構成され、中図柄用乱数が「０」に戻るときに本処理毎に＋１とされ最大値を超えると「０」に戻る。
【００４０】
普通図柄乱数更新処理（ステップＳ７）は、「０」〜「６」の７個の整数を繰り返し作成するカウンタとして構成され、本処理毎に＋１とされ最大値を超えると初期値である「０」に戻る。
【００４１】
前述した各乱数更新処理（ステップＳ３〜Ｓ７）により、初期乱数、当否乱数、大当り図柄乱数、外れ図柄乱数及び普通図柄乱数が各々更新されるが、続く各入力処理（ステップＳ８）ではパチンコ機１０に設けられ主制御基板３０に接続された各スイッチ類の入力処理が実行される。前述したタッチスイッチ２４ａ、賞球払出しスイッチ２９ａ、特別図柄作動スイッチ３６ａ、普通図柄作動スイッチ３８ａ及び３９ａ、満タンスイッチ４３、補給スイッチ４４、羽根作動スイッチ６３ａ，６３ｂ、カウントスイッチ６４、Ｖスイッチ６５、その他の入賞口に設けられた図示しない各入賞検知スイッチ等の各スイッチの作動状況をチェックする処理が実行される。
【００４２】
この入力処理（ステップＳ８）により特別図柄作動スイッチ３６ａに入力がある場合には、作動口としての普通電動役物３６に遊技球が入賞したときであり、この割り込み処理時の前記当否乱数の値が抽出され当否判定値と比較される。第１実施形態のパチンコ機１０は、確率変動機として構成され、通常確率時では当否判定値は「１」であり、高確率時には「１」、「３」、「５」、「７」、「９」、「１１」に増加する。当否乱数を構成する「０」〜「３２９」の３３０個の各整数値の出現率は均一であり、遊技球が作動口としての普通電動役物３６に入賞するタイミングで抽出される当否乱数の値は、前記ハードウェア割り込みの微小時間である約２msと比較すれば、入賞タイミングを微小時間単位で調節できないことから無作為に抽出された値となり、当否乱数は完全なる乱数として機能する。従って、抽出された当否乱数の値が当否判定値と一致して大当りとなる確率は、通常確率時には１／３３０であり、高確率時には１／５５（＝６／３３０）となる。この大当りを発生させる確率が通常確率状態から高確率状態に移行するのは、第１実施形態では、大当り発生時の割り込み処理における前述した大当り図柄乱数の値が、「１」、「３」、「５」、「７」、「９」、「１１」及び「１３」、即ち、大当り図柄が「１１１」、「３３３」、「５５５」、「７７７」、「９９９」、「ＢＢＢ」及び「ＤＤＤ」（以下、「高確率図柄」という。）の場合であり、大当りが発生するときの７／１５の確率で高確率に移行する。そして、高確率中において、再び大当りを発生させたときの大当り図柄が高確率図柄であれば更に高確率状態が継続する。
【００４３】
ここで、高確率状態の発生条件として、１つは、普通電動役物３６への入賞に伴い特別図柄表示装置３２へ表示された大当り図柄が高確率図柄で確定表示されること、２つは、羽根部材６２ａ，６２ｂが開放される間に特別電動役物６０内に飛び込んだ打球がＶスイッチ６５で検知されたときに特別図柄表示装置３２へ可変表示される確率変動判定図柄が高確率図柄であることである。後者の場合には、大当りが確定した後に表示されるものであり、単に確率変動判定を行うために表示するものである。
【００４４】
前記高確率判定処理に係る処理を示したのが図９に示す「高確率判定ルーチン」である。このルーチンは大当りと判定されると続いて実行される処理であり、このルーチンに処理が移行すると、まず、前記大当り図柄が高確率図柄であるか否かが判断され（ステップＳ２０）、高確率図柄との肯定判断が為されると（ステップＳ２０：ＹＥＳ）、高確率フラグＦgが値「１」にセットされ当否判定値を「１」、「３」、「５」、「７」、「９」、「１１」の６個に増加する処理が実行され（ステップＳ２１〜Ｓ２２）、リターンに抜ける。一方、前記大当り図柄が高確率図柄でないとの否定判断が為されると（ステップＳ２０：ＮＯ）、高確率フラグＦgを値「０」にリセットし当否判定値を「１」に戻す処理が実行され（ステップＳ２３〜Ｓ２４）、リターンに抜ける。
【００４５】
一方、特別電動役物６０内のＶ通過口６９を遊技球が通過することにより大当りが発生したときは、前述の図９に示した処理に準じて、確率変動判定図柄が高確率図柄であるか否かにより高確率フラグＦgがセット又はリセットされる。ただし、この確率変動判定図柄が高確率図柄を表示するか否かは、遊技球がＶ通過口６９を通過するタイミングで抽出される確率変動判定乱数の値により判定される。確率変動判定乱数は、０と１との整数を繰り返し作成する乱数であり、抽出された判定乱数の値が「１」のとき特別図柄表示装置３２に高確率図柄を表示する。
【００４６】
この判定乱数抽出処理の一例によれば、図１０に示す通り、特別電動役物６０が大当り動作を実行しているか否かを判定し（ステップＳ３０）、大当り動作を実行していないとき（ステップＳ３０：ＮＯ）、羽根部材６２ａ，６２ｂが開放し、かつ、入賞球がＶ通過口６９を通過したかどうかを判定する（ステップＳ３１）。ここで肯定判断されると（ステップＳ３１：ＹＥＳ）、上述の確率変動判定乱数の抽出を行い（ステップＳ３２）、処理はリターンに抜ける。このステップＳ３２は、大当り動作中にＶ通過口６９を遊技球が通過しても（ステップＳ３０：ＹＥＳ）、或は、大当り動作中でないときでもＶ通過口６９を通過しなければ（ステップＳ３１：ＮＯ）、実行されることはなく、処理はリターンに抜ける。
【００４７】
尚、上述の判定乱数抽出処理は、大当り動作の最後、即ち１６ラウンド目に遊技球がＶ通過口６９を通過したとき実行するよう構成しても良いし、大当り動作が１６ラウンドまで実行されず途中のラウンドで終るような場合を考慮して各ラウンド毎に実行し大当り動作中の最後に実行された処理を有効として処理するよう構成しても良い。
【００４８】
また、図１０の処理による確率変動判定乱数の抽出に起因して、図１１（ａ）の羽根開放時間制御ルーチンが実行される。即ち、高確率図柄が特別図柄表示装置３２に確定表示されたか否かを判定する（ステップＳ４０）。高確率図柄が表示されたとき（ステップＳ４０：ＹＥＳ）、羽根部材６２ａ，６２ｂの開放時間（羽根ソレノイド６６ａ，６６ｂの通電時間）が１．８秒に設定され（ステップＳ４１）、処理はリターンに抜ける。一方、通常確率図柄が表示されたとき（ステップＳ４０：ＮＯ）、羽根部材６２ａ，６２ｂの開放時間（羽根ソレノイド６６ａ，６６ｂの通電時間）が０．９秒に設定され（ステップＳ４２）、処理はリターンに抜ける。こうした処理により、高確率状態が発生すると、羽根作動口６１ａ又は６１ｂに入賞することにより開放する羽根部材６２ａ及び６２ｂの開放時間が０．９秒から１．８秒に延長される。これにより、高確率時において、通常確率時よりも、羽根部材６２ａ及び６２ｂの開放により遊技球が特別電動役物６０内に入賞する確率が高くなり、趣向性が高まる。
【００４９】
尚、この高確率状態の動作に替えて、特別電動役物６０に入賞した遊技球を所定の通常確率（１／１０）でＶ通過口６９に誘導する誘導装置８０（図５参照）を設け、高確率時には、該誘導装置８０を前記所定の通常確率（１／１０）よりも大きな値である所定の高確率（１／２）に設定する設定手段を設け、前記入賞した遊技球をＶ通過口８４ａに高確率で誘導する構成としても良い。即ち、図１１（ｂ）に示す通り、高確率中であるか否かを判定し（ステップＳ５０）、高確率中であれば（ステップＳ５０：ＹＥＳ）、誘導装置８０の誘導確率を高く（１／２）設定し（ステップＳ５１）、リターンに抜ける。一方、通常確率であれば（ステップＳ５０：ＮＯ）、誘導装置８０の誘導確率を低く（１／１０）設定し（ステップＳ５２）、リターンに抜ける。これにより高確率時において、通常確率時よりも、入賞した遊技球がＶ通過口８４ａを通過する確率が高くなり、趣向性が高まる。
【００５０】
また、図１１（ａ）では羽根部材６２ａ，６２ｂの開放時間を変更したが、これに代えて、高確率中には羽根部材６２ａ，６２ｂのラウンド回数を増加させる構成としても良い。即ち、図１２（ａ）に示す通り、高確率中であるか否かを判定し（ステップＳ６０）、高確率中であれば（ステップＳ６０：ＹＥＳ）、羽根部材６２ａ，６２ｂのラウンド回数を＋１とするか、又は２倍に設定し（ステップＳ６１）、リターンに抜ける。一方、通常確率であれば（ステップＳ６０：ＮＯ）、羽根部材６２ａ，６２ｂのラウンド回数を通常回数に設定し（ステップＳ６２）、リターンに抜ける。これにより高確率時において、通常確率時よりも、羽根のラウンド回数が増加する。
尚、高確率中であることを示すフラグＦgは、前述した図９に示す処理に準じた処理により零クリアされる他、電源投入時にも零クリアされる。
【００５１】
そして、前述した図７に示す当否判定処理（ステップＳ９）、図９に示す「高確率判定ルーチン」、図１０の「確率変動判定乱数抽出ルーチン」、図１１（ａ）の「羽根開放時間制御ルーチン」等が終了すると、続いて図７に示す画像出力処理（ステップＳ１０）が実行される。
【００５２】
画像出力処理（ステップＳ１０）を、次の表１を用いて詳細に説明する。表１に示すコマンドコードは、主制御基板３０から特別図柄表示装置３２の図柄制御基板３２ｂに送信されるコードである。表１に示すように、主制御基板３０と図柄制御基板３２ｂとの送信コマンドコードは、１．電源投入時、２．客待ちデモ、３．図柄変動中、４．大当り開始時、５．大当り中、６．大当り終了時、７．動作異常時、の７種類に大別できる。
【００５３】
【表１】
0003669566.tif 000002
【００５４】
１．電源投入時
電源投入時のコマンドコードは、パチンコ機１０に電源が投入されたとき主制御基板３０から図柄制御基板３２ｂに送信されるコマンドコードであり、10Hの動作番号及び01Hの識別番号の２バイト命令で構成されている。図柄制御基板３２ｂがこのコマンドを受信するとＲＯＭに書込まれた制御プログラムに従って特別図柄表示装置３２の画面上に電源投入時のデモ画面を表示する。
例えば、図１２（ｂ）に示すＬＣＤパネルユニット３２ａ上の３つの特別図柄表示領域４２ａ，４２ｂ及び４２ｃに各々「７」、「７」、「７」と３桁同一の大当り図柄を表示し、背景画面４９上にキャラクタとしてヒーロ（ｈｅｒｏ）及び悪人（ｂａｄ）を表示し、ヒーロが悪人と所定時間（約１分）格闘したのち悪人を倒し「ファイヤ」という文字を表示するデモ画面を表示すると共に音制御基板３５により「ファイヤ」という効果音を出力する処理を実行する。
【００５５】
２．客待ちデモ
客待ちデモのコマンドコードは、前記電源投入時のデモ画面が終了した後、又は遊技者が所定時間（通常約３分間）発射ハンドル２４に触れていないと判断されたときに送信されるコマンドコードであり、20Hの動作番号及び01Hの識別番号の２バイト命令で構成されている。図柄制御基板３２ｂがこのコマンドを受信するとＲＯＭに書込まれた制御プログラムに従って特別図柄表示装置３２の画面上に客待ちのデモ画面を表示する。例えば、特別図柄表示領域４２ａ〜４２ｃ上に変動表示される特別図柄の変動パターンを全て順番に表示する。このとき、背景画面４９上には各々の変動パターンに対応した背景画像及びキャラクタが表示される。この客待ちデモ画面は遊技者が発射ハンドル２４を操作するまで全ての変動パターンを順番に表示して一巡した後、繰り返し表示する。尚、遊技者が発射ハンドル２４に触れているか否かはタッチスイッチ２４ａの入力により検知することができる。第１実施形態では、タッチスイッチ２４ａの入力を主制御基板３０に入力する構成としたので、主制御基板３０と発射制御基板３３との通信を主制御基板３０からの一方向通信としながらも前記検知が可能なのである。もちろん、主制御基板３０からタッチスイッチ２４ａのオンオフ情報は発射制御基板３３に送信される。このタッチスイッチ２４ａの入力を発射制御基板３３に入力する構成とし、いずれかの又は全ての入賞口に所定時間入賞がないこと、又は遊技盤２２上のアウト口４１にスイッチを設けてこのスイッチが所定時間オンしないことにより遊技者が遊技を実行していないことを判断する構成としても良い。
【００５６】
３．図柄変動中
図柄変動中コマンドコードは、特別図柄変動時に送信されるコマンドであり、表１に示すように（１）変動タイムコード、（２）左静止図柄指定コード、（３）中静止図柄指定コード、（４）右静止図柄指定コード、の４種類のコマンドコード（以下、この４つのコマンドコードを総称して「画像表示コマンド」ということもある。）に分類される。
【００５７】
（１）変動タイムコード
変動タイムコードは、、動作番号として30Hの１バイト命令と識別番号として01H〜1EHの３０種類の１バイト命令とから３０種類の２バイト命令として構成されている。３０種類の１バイト命令は、１秒単位の５秒〜３５秒の３０種類の時間を表している。
【００５８】
（２）左静止図柄指定コード
左静止図柄指定コードは、31Hの動作番号と01H〜0FHの１５種類の識別番号とからなる命令コードであり、識別番号が01Hのときは左静止図柄として「０」、02Hのときは「１」、03Hのときは「２」、04Hのときは「３」、05Hのときは「４」、06Hのときは「５」、07Hのときは「６」、08Hのときは「７」、09Hのときは「８」、0AHのときは「９」、0BHのときは「Ａ」、0CHのときは「Ｂ」、0DHのときは「Ｃ」、0EHのときは「Ｄ」、0FHのときは「Ｅ」の文字を特別図柄として特別図柄表示領域４２ａに表示させるためのものである。
【００５９】
（３）中静止図柄指定コード
中静止図柄指定コードは、32Hの動作番号と01H〜0FHの１５種類の識別番号とからなる命令コードであり、識別番号は前記左静止図柄指定コードの識別番号と同じ意味をもち、各々で指定される文字を特別図柄として特別図柄表示領域４２ｂに表示させるためのものである。
【００６０】
（４）右静止図柄指定コード
右静止図柄指定コードは、33Hの動作番号と01H〜0FHの１５種類の識別番号とからなる命令コードであり、識別番号は前記左静止図柄指定コードの識別番号と同じ意味をもち、各々で指定される文字を特別図柄として特別図柄表示領域４２ｃに表示させるためのものである。
【００６１】
この変動タイムコード、左、中及び右静止図柄指定コードは、遊技盤２２上に発射された遊技球が特別図柄作動口としての普通電動役物３６に入賞したとき２バイトずつほぼ同時に送信されるコマンドコードであり、その内容は次のようにして決定される。
【００６２】
即ち、遊技球が普通電動役物３６に入賞すると、そのときの当否乱数の値、大当り図柄乱数の値、外れ図柄乱数の値、普通図柄乱数の値が各々抽出される。抽出された当否乱数値は、通常確率時には当否判定値「１」と比較し、高確率時には当否判定値「１」、「３」、「５」、「７」、「９」及び「１１」と比較し一致すれば大当りが発生、一致しなければ外れとなる。一致して大当り発生時には、抽出された大当り図柄乱数値に＋１として、この値を左、中及び右静止図柄指定コードの識別番号とする。即ち、左、中及び右静止図柄指定コードの識別番号は同一となる。それらが一致せず外れとなったときには、抽出された外れ図柄乱数の左図柄用乱数値、中図柄用乱数値及び右図柄用乱数値の各々の値に＋１とした値を各々左、中及び右静止図柄指定コードの識別番号とする。このとき、偶然に３つの識別番号が一致する場合には、右静止図柄指定コードの識別番号の値を「１」だけ異なる値とする処理が為される。前述した変動タイムコードは、左、中及び右静止図柄指定コードの識別番号が全て一致するときには大きな値とし、全て一致しなくとも左及び中静止図柄指定コードの識別番号が一致するときには中間の値とし、全く一致しないときには小さな値に振り分けられる。
【００６３】
この４つのコマンドコードからなる画像表示コマンドを受信したときの図柄制御基板３２ｂが行う処理を図１３（ａ）に示すフローチャートに従って説明する。図１３（ａ）に示す「通常表示ルーチン」は、送信される左、中及び右静止図柄指定コードの識別番号が全て一致しない場合、即ち大当りを発生させないときの画像処理に用いられる処理である。図柄制御基板３２ｂのマイコンが前記画像表示コマンドを受信すると、受信した変動タイムコードと左、中及び右静止図柄指定コードの識別番号とから特別図柄の変動パターンを作成する処理を実行する（ステップＳ７０）。図柄制御基板３２ｂのＲＯＭには、次表２に示されるように、受信した画像表示コマンドの各値の組み合わせに対応したテーブルが書込まれている。図柄制御基板３２ｂのマイコンは、受信した画像表示コマンドからＲＯＭに書込まれたテーブルを読み出し特別図柄の変動パターンを作成する。この変動パターンは次のようにして作成される。
【００６４】
マイコンは、受信した左、中及び右静止図柄指定コードの識別番号から左と中との識別番号が一致するか否か（即ち、リーチであるか否か）を判断して通常変動なのか、リーチ変動なのかを判断し、更にリーチ変動でも変動タイムコードの値が所定値より大きいのか小さいのかによりトリック変動をするのか否かを判断し、これらの判断と変動タイムコードとにより特別図柄の左、中及び右図柄の変動開始から静止するまでの各々の時間を決定する。作成された特別図柄の変動パターンに従って、背景画面４９上に表示される背景及びキャラクタの表示データも作成される。こうして変動パターンが作成されると、表２に示す通り、この変動パターンに従って左、中及び右の各特別図柄の変動を開始し指定された静止図柄で静止表示する変動表示処理（ステップＳ７１）を実行すると共に、背景及びキャラクタの表示制御も実行され、リターンに抜ける。
【００６５】
【表２】
0003669566.tif 000003
【００６６】
４．大当り開始時
大当り開始コマンドコードは、特別図柄表示領域４２ａ〜４２ｃに表示される左、中及び右特別図柄が同一図柄を表示した後から大当り動作が開始されるまでの間に大当りが発生したということを遊技者にアピールする画像を表示するときに使用されるコマンドコードであり、40Hの動作番号と01Hの識別番号により構成されている。この命令コードを図柄制御基板３２ｂが受信すると特別図柄表示装置３２の画面上に「大当り等の文字を表示しキャラクタが喜ぶ画像を表示すると共に、音制御基板３５により効果音を出力する処理がなされる。
このとき、図１３（ｂ）に示す通り、図柄制御基板３２ｂは、前記画像表示コマンドから、即ち、受信した左、中及び右静止図柄指定コードの識別番号が一致しているか否かにより大当りが発生したことを判断し（ステップＳ７５）、大当りとの肯定判断をすると（ステップＳ７５：ＹＥＳ）、前回記憶した大当り回数の値を＋１として（ステップＳ７６）、その回数を背景画面４９上に表示する処理を実行し（ステップＳ７７）、リターンに抜ける。これにより、パチンコホールを開店してからの営業中におけるパチンコ機１０で発生した大当り回数の累計回数を遊技者に報知することができる。一方、大当りでないとの否定判断をすると（ステップＳ７５：ＮＯ）、リターンに抜ける。
【００６７】
５．大当り中
大当り中コマンドコードは、開放前コード、開放中コード、１０カウント入賞コード、Ｖ通過コード及びラウンド表示コードの５個のコマンドコードに分類される。
（１）開放前コードは、50Hの動作番号及び01Hの識別番号より構成され、図柄制御基板３２ｂがこの命令コードを入力すると、羽根部材６２ａ，６２ｂを開放することを遊技者に知らせる画像を背景画面４９に表示する処理を実行する。
（２）開放中コードは、50Hの動作番号及び02Hの識別番号より構成され、図柄制御基板３２ｂがこの命令コードを入力すると、羽根部材６２ａ，６２ｂが開放中であることを遊技者に知らせる画像を背景画面４９に表示する処理を実行する。
（３）１０カウント入賞コードは、50Hの動作番号及び03Hの識別番号より構成され、主制御基板３０は、羽根作動口６１ａ，６１ｂ又は普通電動役物３６への入球のいずれが大当りの起因となっていても、羽根部材６２ａ，６２ｂ部分から遊技球が入賞したことをカウントスイッチ６４により検知する毎にこの命令コードを送信する。図柄制御基板３２ｂがこの命令コードを入力すると、入力する毎にその値をインクリメントしその値を背景画面４９上に表示する処理を行う。これにより、画面上には、羽根部材６２ａ，６２ｂ部分から遊技球が入賞する毎に０から１０個までの個数表示がなされる。
（４）Ｖ通過コードは、50Hの動作番号及び04Hの識別番号より構成され、主制御基板３０はＶ通過口６９を遊技球が通過したことをＶスイッチ６５が検知するかにより、この命令コードを送信する。図柄制御基板３２ｂがこの命令コードを入力すると画面に「Ｖ」の文字を大きく表示し羽根部材６２ａ，６２ｂが閉鎖した後再び開放することを遊技者に知らせる。
（５）ラウンド表示コードは、50Hの動作番号及び05Hの識別番号より構成され、主制御基板３０は羽根部材６２ａ，６２ｂが開放動作終了後に再び開放する毎にこの命令コードを送信する。図柄制御基板３２ｂがこの命令コードを入力すると、入力する毎にその値をインクリメントしその値を背景画面４９上に表示する処理を行う。これにより、遊技者には羽根部材６２ａ，６２ｂのラウンド回数が報知される。
【００６８】
６．大当り終了時
大当り終了時コマンドコードは、大当り終了デモコマンドコードと高確率移行コマンドコードとからなる。
大当り終了デモコマンドコードは、大当り動作が終了したとき、即ち羽根部材６２ａ，６２ｂが１６回の開放動作を終了したとき、または１６回まで継続しなくとも開放中に遊技球が特別領域を通過しなかったときに送信される命令コードであり、60Hの動作番号及び01Hの識別番号より構成される。図柄制御基板３２ｂがこの命令コードを入力すると大当りが終了したことを遊技者に知らせるメッセージを表示する。
高確率移行コマンドコードは、61Hの動作番号及び01H〜02Hの識別番号より構成される。識別番号が01Hのときは高確率状態が継続する場合であり、識別番号が02Hのときは高確率状態が継続しない場合である。この高確率移行コマンドコードは、第１実施形態において、主制御基板３０から送信する構成としても良いし、前述した画像表示コマンドの値から図柄制御基板３２ｂが判断する構成としても良い。
【００６９】
図１４の通り、特別電動役物６０の第Ｎ回目（Ｎ＝１〜１５）のラウンドが停止する毎に、これに応答して、通常確率状態では、有効信号Ｅが有効期間（２．５ｓ）ＯＮ状態となり、高確率状態では、有効信号Ｆが有効期間（５．０ｓ）ＯＮ状態となり、該有効期間中は、Ｖスイッチ６５の検知が有効と認定される。該有効期間経過後にＯＦＦとなる。また、複数の有効期間を設けてその異なる長さに設定しているので、高確率時に遊技者により有利となる。そして、第１６ラウンド終了後の乱数の抽選によって、確率変動判定図柄が決定され、確率変動判定図柄が５秒間変動表示され、普通確率状態又は高確率状態が設定され、次回の大当りまでの乱数抽選が普通確率で行われるか又は高確率で行われる。尚、第Ｎラウンド中又は有効時間中に特別領域を遊技球が通過した場合、第Ｎ＋１ラウンドが開始されるまで、有効時間以上の期間を設け、大当り処理の有効性を確保することにする。
【００７０】
図１４の有効信号Ｅ，ＦをＯＮ・ＯＦＦとさせることで、特別電動役物６０内の残存球がＶ通過口６９を通過し得るに十分な期間を設定する。尚、第Ｎ回目のラウンドの終了は、羽根部材６２ａ及び６２ｂが１８回開閉動作したとき、又は遊技球がカウントスイッチ６４により１０個検出されたときに終了する。そして終了したタイミングで前述のシャッタ７１が降下される。Ｖスイッチ６５の有効化により途中でラウンドが途切れる確率を低減することができる。すなわち、連続作動中における上記有効期間中は、連続作動の状態が継続されることになり、すべての残存球が特定領域を通過可能とし、これを検知することで、連続作動の継続可能性が高まり、賞球数が増大する可能性がある。また、複数の有効期間を設け、高確率時に遊技者に有利な内容とし、遊技の幅を広げることができる。
【００７１】
また、図１４に示す様に、通常時（大当りでないとき）において、羽根作動口６１ａ又は６１ｂへの入賞から羽根部材６２ａ及び６２ｂの開放動作までは前記有効信号Ｅ，Ｆと同じ時間の遅延時間Ｓ，Ｔが設けられており、羽根作動スイッチ６３ａ又は６３ｂがオンしても羽根部材６２ａ及び６２ｂは直ちに開放されない。また、羽根部材６２ａ及び６２ｂの閉じた後に、有効信号Ｅ，Ｆがそれぞれ設定され、該有効信号Ｅ，Ｆに対応する期間はＶスイッチ６５は有効とされ、羽根部材６２ａ及び６２ｂの開放時間０．９秒と有効信号２．５秒とにより合計で３．４秒間、Ｖスイッチ６５は有効とされる。
これにより、通常時（大当りでないとき）において、羽根作動口６１ａ又は６１ｂへの入賞があれば、羽根部材６２ａ及び６２ｂは０．９秒又は１．８秒開放しＶスイッチ６５は有効とされるが、開放したときから０．９秒又は１．８秒経過した後も前記有効期間中はＶスイッチ６５が有効とされ、この有効期間内に再び羽根作動口６１ａ又は６１ｂへの入賞があっても、この有効期間中には羽根部材６２ａ及び６２ｂは開放されない。この結果、Ｖスイッチ６５が有効とされる期間が重複するといったことや、連続して有効となるといった弊害は未然に防がれる。尚、上述の遅延動作はプログラム制御でもハードウェアロジックであっても、その構成は当業者であれば実施可能であるから、詳細構成は省略する。
【００７２】
上述の図１４の例では、通常確率及び高確率に応じて、有効期間を複数個設けたが、図１５の変更形態の通り、１回開きの始動口である羽根作動口６１ａ、又は、２回開きの始動口である羽根作動口６１ｂのいずれに遊技球が入賞したのか、ケースに応じて、２種類の有効信号Ｇ，Ｈを発生させ、該信号に対応する有効期間を設け、それぞれの期間の長さ（３．０ｓ、６．０ｓ）を異ならせたものである。これにより、同様に遊技の幅を広げることができる。
上述の変更形態は、通常確率であるか高確率であるかを問わず適用できるものである
尚、上述の処理においては、大当り中は有効信号Ｅ又はＦは、第Ｎ回目のラウンド終了後にＯＮする構成としたが、これはシャッタ７１が大当り中はラウンド終了時に降下させられる構成だからである。シャッタ７１を備えない構成の場合には、羽根部材６２ａ及び６２ｂの開放時から有効信号Ｅ又はＦをＯＮ状態としラウンド終了後にも該信号のＯＮ状態を２．５ｓ又は５．０ｓ延長する構成としても良い。
また、大当り中でないときには、シャッタ７１は降下させられたままであるが、大当り中と同様に構成し、シャッタ７１が降下したときから２．５ｓ又は５．０ｓ間だけ有効信号Ｅ又はＦをＯＮ状態としても良い。
【００７３】
７．動作異常時
動作異常時コマンドコードは、パチンコ機１０に異常が発生したときに送信される命令コマンドコードであり、本実施形態では、70H01HのＥ１エラーコード、70H02HのＥ２エラーコード、70H03HのＥ３エラーコードより構成されている。Ｅ１エラーコードは、テンカウント異常エラーであり、羽根部材６２ａ，６２ｂが開放したときに遊技球が１個も検知されない場合に出力され、Ｅ２エラーコードは下皿２３が満杯で満タンスイッチ４３がオンしたとき出力され、Ｅ３エラーコードは補給スイッチ４４がオンしたとき出力される。これらの異常時コマンドを送信することにより表示されるエラーメッセージは、異常が解除されたとき送信される70H04Hのエラー解除コードにより消去される。
【００７４】
図７に戻り、続く各出力処理（ステップＳ１１）において、主制御基板３０は、遊技の進行に応じて特別図柄表示装置３２、賞球制御基板３１、発射制御基板３３、ランプ制御基板３４、音制御基板３５、普通役物ソレノイド３６ｂ、羽根ソレノイド６６ａ，６６ｂ等の各種ソレノイドに対して各々出力処理を実行する。即ち、前記各入力処理（ステップＳ８）により遊技盤２２上の各入賞口に遊技球の入賞があることが検知されたときには賞球としての遊技球を払い出すべく賞球制御基板３１に賞球データを出力する処理を、遊技状態に対応したサウンドデータを音制御基板３５に出力する処理を、パチンコ機１０に異常があるときにはエラー中であることを報知すべく図柄制御基板３２ｂにエラー信号を出力する処理を、更には、大当り発生時には大当り処理等を、各々実行する。尚、特別図柄表示装置３２に表示される図柄変動中は羽根作動口６１ａ，６１ｂ（大入賞口作動口）の機能は有効である。また大当り中は、図柄の変動機能、或は、羽根作動口６１ａ，６１ｂ（大入賞口作動口）の機能は停止される。
【００７５】
前述した本処理に続く残余処理は、外れ図柄乱数更新処理（ステップＳ１２）及び初期乱数更新処理（ステップＳ１３）から構成されるが、各々前述したステップＳ６及びステップＳ３と概ね同じ処理である。この２つの処理は無限ループを形成し、次の割り込みが実行されるまで時間の許される限り繰り返し実行される。前述したステップＳ１〜Ｓ１１までの本処理を実行するのに必要とされる時間は、大当り処理を実行するか否か、特別図柄の表示態様の相違等により割り込み毎に異なる。この結果、残余処理を実行する回数も割り込み毎に異なり、図７に示された割り込み処理が１回実行されることにより外れ図柄乱数及び初期乱数の更新される（加算される）値も一律では無くなる。これにより、初期乱数及び外れ図柄乱数が当否乱数と同期する可能性は無くなる。尚、第１実施形態においては、当否乱数の更新は初期乱数の値により変更される構成なので同期の虞は全くない。また、前述した普通図柄乱数更新処理（ステップＳ７）も残余処理内において実行するよう構成しても良い。
【００７６】
前述した各処理を実行することにより、パチンコ機１０は、次のような動作を実行する。即ち、遊技者により操作される発射ハンドル２４の回動量に応じて発射モータ３３ａにより遊技球が遊技盤２２上に発射され、発射された遊技球が特別図柄作動口としての普通電動役物３６に入賞すれば、これが特別図柄作動スイッチ３６ａにより検出され、特別図柄表示装置３２の画面上に特別図柄を所定時間変動表示した後に確定表示するように働く。この確定表示した特別図柄が予め定められた特定図柄、例えば「７７７」等の３桁同一図柄を表示すると大当り状態として遊技者に有利なゲーム内容を提供する。大当り状態となるか否かは、前述の通り、遊技球が特別図柄作動スイッチ３６ａにより検出されたとき抽出される当否決定乱数の値が所定値であるか否かにより決定される。この条件が第１の条件である。
【００７７】
また一方、羽根作動口６１ａへ入賞すると、これが羽根作動スイッチ６３ａにより検出されると、該検出に応答して、羽根部材６２ａ，６２ｂが１回開き、一方、羽根作動口６１ｂへ入賞すると、これが羽根作動スイッチ６３ｂにより検出され、該検出に応答して、羽根部材６２ａ，６２ｂが２回開く。通常確率状態において、羽根作動口６１ａ，６１ｂに入賞すれば、羽根部材６２ａ，６２ｂを所定時間（０．９秒以内）開放し、高確率状態において、羽根作動口６１ａ，６１ｂに入賞すれば、羽根部材６２ａ，６２ｂを所定時間（１．８秒以内）開放する。羽根部材６２ａ，６２ｂが開放したときに入賞した遊技球がＶ通過口６９を通過し得る。そして、この開放期間内に羽根部材６２ａ，６２ｂ部分から入賞があれば、特別電動役物６０の下部に流下し、Ｖ通過口６９を通過したり、しなかったりする。Ｖ通過口６９への入賞（以下、Ｖ入賞という）により、特別電動役物６０を遊技者に有利な内容、即ち、大当りになるとともに、大当り表示を特別図柄表示装置３２に表示する。従って、大当り状態となるか否かは、Ｖ通過口６９を遊技球が通過するか否かにより決定される。これが第２の条件である。
そして、第１の条件又は第２の条件のいずれかにより大当り状態となると、羽根部材６２ａ，６２ｂが１８回以下の開閉動作（該開閉動作中の開放時間の合計は３０秒以下）又は遊技球が１０個入賞したことがカウントスイッチ６４により検出されるまで、いずれか早く経過する時まで開放される。但し、上記大当り動作中に入賞球がＶ通過口６９を通過すると、羽根部材６２ａ，６２ｂの開放動作は終了し、次のラウンドに移行する。一方、入賞球がＶ通過口６９を通過しないと、羽根部材６２ａ，６２ｂの１８回以下の開閉又は遊技球が１０個入賞するものの、そのラウンドで大当りは終了する。そこで、羽根部材６２ａ，６２ｂの１８回以下の開閉又は遊技球が１０個入賞するまで、入賞した遊技球を停留させておき、停留を解除し、該入賞球を一挙に流下させ、Ｖ通過口６９への入賞球の通過の確率を高める。羽根部材６２ａ，６２ｂの１８回以下の開閉動作が終了した時点以降にＶ通過口６９を通過することもある。そのときは、前述の有効期間Ｆの設定により救済され、Ｖ通過口６９の通過は有効となる。
そして、入賞球のＶ通過口６９への通過を条件として、一旦、羽根部材６２ａ，６２ｂが閉鎖された後に再び開放され、上記の開放動作を最大１６回繰り返す。
通常、遊技球１個の入賞に対して１５個の遊技球が賞球として払い出すよう構成しているので、１回の大当り状態が発生すると、約２４００（＝１５×１０×１６）個の遊技球を賞球として獲得することができる。この賞球排出動作は、賞球制御基板３１が実行する。遊技中において前述したランプ制御基板３４及び音制御基板３５が実行する制御は従来と同様な構成であり、その説明は割愛することにする。
【００７８】
以上詳細に説明した第１実施形態によると、大当り終了後、高確率に移行したとき、特別図柄が大当り図柄を表示する確率を甘くできる。また、有効期間を設けたことにより、次のラウンドへの移行確率が高くなり、賞球数の増大をもたらすとともに、停留された入賞球の流下のタイミングの設定も容易となる。
【００７９】
第２実施形態のパチンコ機について図１６〜図１８を参照して説明する。本実施形態は、基本的には第１実施形態と同様に有効信号Ｅ，Ｆを備えるが、始動入賞に伴う羽根の開閉を遅延させる代わりに、連続作動終了後に羽根作動スイッチ２６３ａ，２６３ｂの信号検出を無効とする無効信号Ｊ，Ｋを備えたものである。羽根作動スイッチ２６３ａ，２６３ｂの検知を無効化することでＶ入賞率を制御するためである。したがって、パチンコ機の主要な構成及び電気的構成等、共通する構成要素の説明と図示は第１実施形態を援用し、主として、異なる構成について説明する。尚、図示の部品番号は第１実施形態の対応部品を２００番台とし、適宜説明は略す。
【００８０】
図１８の通り、特別電動役物２６０による第Ｎ回目（Ｎ＝１〜１５）のラウンドが停止すると、これに応答して、通常確率状態では、有効信号Ｅが有効期間（２．５ｓ）ＯＮ状態となり、高確率状態では、有効信号Ｆが有効期間（５．０ｓ）ＯＮ状態となり、該有効期間中は、Ｖスイッチ２６５の検知が有効と認定される。また、有効信号Ｅ，Ｆとともに無効信号Ｊ，Ｋが設定され、該期間中は、羽根作動スイッチ２６３ａ，２６３ｂの検知を無効と認定し、第１実施形態の遅延時間Ｓ，Ｔと同様の機能を果たしている。また、複数の有効期間を設けてその異なる長さに設定し、高確率時に遊技者により有利となる。そして、第１６ラウンド終了後の乱数の抽選によって、確率変動判定図柄が決定されることで普通確率又は高確率が決定され、確率変動判定図柄が５秒間変動表示され、普通確率状態又は高確率状態が設定される。尚、無効信号は、第１ラウンド終了後はＯＮ・ＯＦＦさせないようにすることもできる。
【００８１】
第２実施形態のパチンコ機の動作を説明する。発射された遊技球が特別図柄作動口としての普通電動役物２３６に入賞すれば特別図柄作動スイッチ２３６ａにより検出され、特別図柄表示装置２３２の画面上に特別図柄を所定時間変動表示した後に静止表示する。この静止表示した特別図柄が予め定められた特定図柄、例えば「７７７」等の３桁同一図柄を表示すると大当り状態として遊技者に有利なゲーム内容を提供する。大当り状態となるか否かは、遊技球が特別図柄作動スイッチ２３６ａにより検出されたとき抽出される当否決定乱数の値が所定値であるか否かにより決定される。これが第１の条件である。また一方、遊技球が羽根作動口２６１ａ，２６１ｂに入賞すれば、羽根作動スイッチ２６３ａ，２６３ｂにより検出され、羽根部材２６２ａ，２６２ｂを所定時間（０．９秒又は１．８秒以内）開放するよう働き、そして、開放期間内に羽根部材２６２ａ，２６２ｂ部分から入賞があれば、特別電動役物２６０の下部に流下し、回転体２７０の回転により、遊技球がランダムに回転体２７０に当たり、Ｖ通過口２６９を通過したり、しなかったりする。遊技球がＶ通過口２６９を通過すれば特別電動役物２６０を遊技者に有利な内容とする。大当り状態となるか否かは、Ｖ通過口２６９を通過するか否かにより決定され、これが第２の条件である。第１の条件又は第２の条件のいずれかの条件が成立すると、大当り状態となり、いずれの場合にも、羽根部材２６２ａ，２６２ｂが約３０秒間又は遊技球が１０個入賞したことがカウントスイッチ２６４により検出されるまでいずれか早く経過する時まで開放され、一旦羽根部材２６２ａ，２６２ｂが閉鎖された後に再び開放され、この開放動作を最大１６回繰り返す。その他は第１実施形態と重複するので、その説明は割愛することにする。
【００８２】
第２実施形態によれば、無効信号Ｊ，ＫをＯＮ・ＯＦＦさせ、羽根作動スイッチ２６３ａ，２６３ｂの検知を無効とすることで、無効期間中に発生した始動入賞を無視することで、前記有効期間の実質的な延長を防止できる。また、複数の有効期間を設け、高確率時に遊技者に有利な内容とし、遊技の幅を広げることができる。また、１つの特別電動役物２６０が２つの別の条件のいずれかの成立によって遊技者に有利な遊技状態となるので、少ない電動役物でも豊富な遊技状態を作り出すことができ、趣向性が高まる。
【００８３】
第３実施形態のパチンコ機について図１９〜２２を参照して説明する。本実施形態は、基本的には第１実施形態及び第２実施形態と同様であるが、前述実施形態の外れ通過口６８及びＶ通過口６９、又は、外れ通過口２６８及びＶ通過口２６９に各通過口を通過した遊技球数のすべてをカウントする３連スイッチ３５５を設け、第１の条件、即ち、普通電動役物３３６への入球に伴い、特別図柄表示装置３３２に大当り図柄が確定表示されたことに起因して、大当りとなった場合には、この３連スイッチ３５５にて１０カウントを実行し、該１０カウントの終了後に羽根部材３６２ａ、３６２ｂを閉鎖するものであり、ここでは有効時間の設定を行う必要がないことから、有効時間の処理は行わない。一方、前述の通り、第２の条件、即ち、羽根作動口３６１ａ又は３６１ｂへの入球に伴い、羽根部材３６２ａ，３６２ｂが開放し、入球した遊技球がＶ通過口３６９を通過しこれに起因して大当りとなった場合、有効時間又は無効時間の設定は同様に行うものであり、これに伴いプログラム制御等を変更したものである。尚、第１の条件及び第２の条件において、ともに、次のラウンドへ継続させるためには、Ｖスイッチ３６５の作動が必須とされる。したがって、共通する構成要素の説明と図示は第１実施形態又は第２実施形態を援用し、主として、異なる構成について説明する。尚、図示の部品番号は第１実施形態の対応部品を３００番台とし、適宜説明は略す。
【００８４】
第３実施形態のパチンコ機の主要な構成は、図１９に示す通りであり、図３の説明を援用するが、３連スイッチ３５５が外れ通過口３６８及びＶ通過口３６９に追加的に設置されていることが異なっている。
【００８５】
第３実施形態のパチンコ機の電気的構成は図２０のブロック図の通りであり、図６の説明を援用するが、３連スイッチ３５５が主制御基板３３０の入力部に追加的に接続されていることが異なっている。
【００８６】
前述した３連スイッチ３５５に関連する継続判定処理及びＶ入賞判定処理を図２１及び図２２を参照して説明する。このルーチンは、予め設定されたタイミングによる時間割込により、パチンコ機の稼動中を通じて繰り返し実行される。
【００８７】
図２１に示すように、継続判定ルーチンを開始した主制御基板３３０は、第１の条件又は第２の条件のいずれかに起因する特別遊技条件が成立したかを判定する（ステップＳ３００）。なお、この特別遊技条件の成立に関わる演算処理は、周知の手順にて別途行われる。ここで特別遊技条件の成立が判定されれば、次のステップＳ３０１へ進み、ＮＯであればこのルーチンを一旦終了する。
【００８８】
次に、ステップＳ３０１では、主制御基板３３０は、入球数ＣＩ、ラウンド回数ＣＣおよびラウンド継続許可フラグＦを０にリセットする。なお、これら入球数ＣＩ、ラウンド回数ＣＣおよびラウンド継続許可フラグＦの詳細は後述する。続いて主制御基板３３０は、遊技盤３２２などに設置されている装飾ランプの点灯や音声出力の変更などで大当り状態を表示する（ステップＳ３０２）。
【００８９】
次のステップＳ３０３では、第１の条件での特別遊技においては、主制御基板３３０はソレノイド駆動信号を出力して、羽根ソレノイド３６６ａ，３６６ｂを駆動し、羽根部材３６２ａ，３６２ｂを所定時間（３０秒間以下）、開放し続けさせる。第２の条件での特別遊技においては、主制御基板３３０はソレノイド駆動信号を出力して、羽根ソレノイド３６６ａ，３６６ｂを駆動し、羽根部材３６２ａ，３６２ｂを所定時間ずつ所定回数（１８回）、繰り返し開閉動作をさせる。これによって特別電動役物３６０は開放状態となる。次に、主制御基板３３０は、ラウンド回数ＣＣをインクリメントする（ステップＳ３０４）。続いて、主制御基板３３０は、ＬＣＤパネルユニット３３２ａにラウンド回数ＣＣに対応する数字等を表示させる（ステップＳ３０５）。これにより、ラウンド回数等を遊技者に認識させることができる。
【００９０】
次に、主制御基板３３０は、第１の条件に起因する大当りの場合は３連スイッチ３５５または第２の条件に起因する場合にはカウントスイッチ３６４からの信号を参照して入球信号ＳＩの有無を判定する（ステップＳ３０６）。ここで入球信号が入力されていれば、次のステップＳ３０７で外れ通過口３６８及びＶ通過口３６９即ち特別電動役物３６０への入賞球の合計数を表す入球数ＣＩをインクリメントする。続いて主制御基板３３０は入球数ＣＩが１０以下であるか、つまり特別電動役物３６０への入賞が１０球以下であるかを判定する（ステップＳ３０８）。入球数ＣＩが１０以下であれば、図２２に示されるＶ入賞判定ルーチンを実行する（ステップＳ３０９）。
【００９１】
ステップＳ３０６で入球信号ＳＩの入力なしと判定された場合、主制御基板３３０はステップＳ３１０へ移行し、ここで、主制御基板３３０は、タイマ回路３５６の出力に基づいて羽根部材３６２ａ，３６２ｂの開口から３０秒経過したかを判定する。ここで３０秒未経過と判定されれば、主制御基板３３０はステップＳ３０６へ回帰し、上述の処理を繰り返す。一方、入球数ＣＩが１０以上、或いは、３０秒経過と判定されれば、ステップＳ３１１に進む。
【００９２】
ステップＳ３１１でカウンタＣＩをリセットする。ステップＳ３１２では、主制御基板３３０は、ソレノイド駆動信号を停止して羽根ソレノイド３６６ａ，３６６ｂの稼動を停止させることで、開放されていた羽根部材３６２ａ，３６２ｂを復帰させて羽根部材３６２ａ，３６２ｂを閉鎖させる。これによって特別電動役物３６０は開放状態を一旦終了することになる。つまり、入賞球が１０球以上となるか羽根部材３６２ａ，３６２ｂの開口後３０秒経過すれば、羽根部材３６２ａ，３６２ｂが閉鎖される。
【００９３】
続いて、主制御基板３３０は、第２の条件での大当り中か否かを判定する（ステップＳ３１３）。第２の条件での大当り中であれば、有効時間を設定する（ステップＳ３１４）。続いて、ステップＳ３１４の処理後、或いは、ステップＳ３１３で否定判定、即ち、第２の条件での大当り中でない（第１の条件の大当り）であれば、主制御基板３３０はラウンド回数ＣＣが１６に達したかを判定する（ステップＳ３１５）。ここでラウンド回数ＣＣが１６以上であれば、主制御基板３３０は本ルーチンを終了する。また、ラウンド回数ＣＣが１６未満であれば、主制御基板３３０はステップＳ３１６へ進んでラウンド継続許可フラグＦ＝１であるかを判定する。ラウンド継続許可フラグＦ≠１であれば、主制御基板３３０は本ルーチンを終了し、Ｆ＝１であれば次のステップＳ３１７へ進む。
【００９４】
ステップＳ３１７では、主制御基板３３０は、ラウンド継続許可フラグＦを０にリセットしてステップＳ３０３へ回帰する。これにより、再度、羽根部材３６２ａ，３６２ｂが開口され特別電動役物３６０が開放状態とされる。つまり、特別電動役物３６０の開放状態が継続される。
【００９５】
このように、主制御基板３３０は、羽根部材３６２ａ，３６２ｂを開口してから１０球の入賞（ステップＳ３０８：ＮＯ）または３０秒経過（ステップＳ３１０：ＹＥＳ）により、羽根部材３６２ａ，３６２ｂを閉鎖して開放状態を一旦終了させるが、この開放状態中に入賞した１０球までの入賞球のいずれかについてＶ入賞判定で肯定的な判断がなされると、再び羽根部材３６２ａ，３６２ｂを開口させて特別電動役物３６０の開放状態を継続させる。しかも、Ｖ入賞判定で開放状態を継続すべしとされた際にはＬＣＤパネルユニット３３２ａに表示されるので、遊技者は継続ありと認知することができる。
【００９６】
図２２のＶ入賞判定ルーチンにおいて、主制御基板３３０は、Ｖスイッチ３６５がオンしたか否かを判定する（ステップＳ３５０）。ここでＹＥＳ即ちＶスイッチ３６５がオンしたと判定されれば、ステップＳ３５１にてラウンド継続許可フラグＦを「１」にセットする。ステップＳ３５１の終了後或いはステップＳ３５０でＮＯであるなら、本ルーチンを一旦終了する。
【００９７】
以上の第３実施形態により、第１及び第２実施形態と同様の効果を享受することができる上、第１の条件と第２の条件での大当り時において、第２の条件での大当り中の処理にのみ有効時間を設定するだけで良く、処理の簡素化或いはメリハリのある遊技を実現することができる。
【００９８】
第４実施形態のパチンコ機について図２３及び図２４を参照して説明する。本実施形態は、基本的には第３実施形態と同様であるが、前述実施形態の大当り時における羽根部材３６２ａ，３６２ｂの次のラウンドへの継続条件の設定について、第１の条件と第２の条件とで差異を設けたものである。これに伴いプログラム制御等を変更したものである。したがって、共通する構成要素の説明と図示は第３実施形態を援用し、主として、異なる構成について説明する。尚、説明する場合には第３実施形態の番号を流用することとする。
【００９９】
即ち、前述したラウンド継続判定ルーチンの処理は前述図２１と概ね同様ではあるが、ステップＳ４０６において第１の条件に起因する大当りの場合、３連スイッチ３５５によるカウントアップを省略し、第２の条件に起因する場合にはカウントスイッチ３６４からの信号のみを参照して入球信号ＳＩの有無を判定するのである。これにより処理が簡素化される。
【０１００】
そして、図２４では、ステップＳ４５０及びＳ４５１が追加され、第１の条件で大当り中か否かを判定し（ステップＳ４５０）、ここでＹＥＳ即ち第１の条件での大当り中の成立が判定されれば、次のステップＳ４５１へ進み、ラウンド継続許可フラグＦを「１」にセットし、本ルーチンを一旦終了する。第１の条件での大当りでは、Ｖ入賞しなくとも自動的なラウンドを継続させる趣旨である。ステップＳ４５０で否定判断された場合、即ち、第２の条件で大当り中である場合には、ステップＳ４５２及びＳ４５３が行われるが、これは第３実施形態の図２２で説明した通り、第１の条件のＶスイッチ３６５のオンに伴い、ラウンド継続許可フラグＦを「１」にセットするものである。
【０１０１】
以上の処理を行うことにより、第１及び第２実施形態と同様の効果を享受することができる上、第１の条件と第２の条件での大当り時において、第１の条件での大当り中の処理にのみ、Ｖ入賞しなくとも、自動的にラウンドが継続され、遊技者が安心感を覚えることができる一方、第２の条件での大当り中の処理では、Ｖ入賞するか否かがラウンドの継続条件とされ、遊技者はその結果に一喜一憂し、これにより、第１の条件と第２の条件とでラウンドの継続条件に差異を設け、メリハリのある遊技を実現することができる。
【０１０２】
第５実施形態のパチンコ機について図２５を参照して説明する。本実施形態は、基本的には第３実施形態と同様であるが、ラウンド継続条件の判定を更に緩和し、前述実施形態の大当り時における羽根部材３６２ａ，３６２ｂの次のラウンドへの継続条件の設定について、第１の条件と第２の条件とで共に無条件で次のラウンドに継続させることを許可するものである。これに伴いプログラム制御等を変更したものである。したがって、共通する構成要素の説明と図示は第３実施形態を援用し、主として、異なる構成について説明する。尚、説明する場合には第３実施形態の番号を流用することとする。
【０１０３】
即ち、前述第４実施形態の図２３のステップＳ４０９を削除すると共に、これに伴い図２４に相当する処理を削除したものであり、他のステップの説明は援用する。
【０１０４】
第５実施形態によれば、第１及び第２実施形態と同様の効果を享受することができる上、第１の条件と第２の条件での大当り時において、第１の条件及び第２の条件いずれの大当り中でも、Ｖ入賞しなくとも、自動的にラウンドが継続され、遊技者が安心感を覚えるようにするとともに、処理の一層の簡素化を実現したものである。
【０１０５】
第６実施形態のパチンコ機について図２６及び図２７を参照して説明する。本実施形態は、基本的には第１実施形態及び第２実施形態と同様であるが、Ｖ入賞率を第１の条件と第２の条件に起因する大当りにおいて、互いに異なる予め定められた値に設定しておくことで、趣向性を確保したものである。これに伴い特別電動役物６６０の構造を変更したものである。したがって、共通する構成要素の説明と図示は第１及び第２実施形態を援用し、主として、異なる構成について説明する。尚、説明する場合には適宜第１実施形態の番号を流用することとする。
【０１０６】
図２６及び図２７の通り、羽根作動口６１ａ，６１ｂ（図３参照）に入賞することによって作動する特別電動役物６６０は、一対の羽根部材６６２ａ，６６２ｂを破線のごとく揺動変位させて、予め設定された開口時間だけ大入賞口６６０ａを開口させる。大入賞口６６０ａの内部には、手前から奥へ向かって傾斜する上傾斜板６８６が設けられており、入賞球は上傾斜板６８６上を奥側へ移動して３箇所の切欠６８７から落下する。落下した入賞球は、奥から手前に向かって傾斜する下傾斜板６８８上を移動して、下傾斜板６８８の先端部の下部領域に形成された特定領域６６９または非特定領域６６８のいずれかを通過することになる。下傾斜板６８８の先端部の下部領域には、中央部には可変翼６８９が設けられており、入賞球が特定領域６６９を通過するためには可変翼６８９に案内される必要がある。この可変翼６８９は図示せずアクチュエータによって、揺動或いは横移動するように構成され、そして、第１の条件による大当りの場合、特定領域６６９の通過確率が１／３に、第２の条件による大当りの場合、特定領域６６９の通過確率が１／１０に、設定され、第２の条件の方を厳しく設定している。これは第１の条件による特別遊技状態のときには、特定領域６６９への遊技球通過はラウンドの継続条件として採用するものであり、あまり厳しい値ではラウンドの継続が難しくなり妥当ではないからである。一方、第２の条件のときに、特定領域６６９への遊技球通過は特別遊技状態の発生要件として採用する場合には、あまり確率を緩めては期待感を向上させることが難しくなり、また、ラウンドの継続条件として採用する場合、第１の条件が主遊技であり、第２の条件が副遊技として設定していることから、第２の条件の場合には第１の条件の場合より入賞率を厳しく設定することとしたのである。ただし、それらの値は例示であって遊技内容に応じて適宜の値に変更が可能である。
【０１０７】
尚、第２の条件による特別遊技状態が発生するに際し、上記０．９秒の開口時間内に大入賞口６６０ａへ入賞した入賞球が、特定領域６６９を通過すれば、大入賞口６６０ａは開放状態とされ、入賞確率がきわめて高い遊技状態が発生する。一方、この開口時間内における入賞球のいずれもが特定領域６６９を通過せずに非特定領域６６８を通過した場合には、開放状態は発生されず、再度羽根作動口６１ａ，６１ｂに入賞があるまでは通常の遊技状態が継続される。
【０１０８】
第１及び第２の条件による特別遊技の際、この特別電動役物６６０における開放状態は、羽根部材６６２ａ，６６２ｂが所定の周期例えば０．９秒間隔で開閉を繰り返すことによるが、例えば３０秒の経過または大入賞口６６０ａへの１０球の入賞球があると羽根部材６６２ａ，６６２ｂが閉鎖されて、開放状態は一旦終了する。ただし、所定のラウンド継続条件が成立していれば、直後に開放状態が再開される。つまり、ラウンド継続条件の成立によって開放状態が継続されることになる。又、前述の１０球の入賞球は、第１実施形態で説明した停留装置７０と同様の構造を備えているが、図示及び説明は援用する。
【０１０９】
なお、特別電動役物６６０におけるラウンド継続条件は、上記の開放状態中に特定領域６６９を入賞球が通過することによって成立するが、入賞球の特定領域６６９の通過確率は、上述のように可変翼６８９の働きにより１／３又は１／１０となるように設定されており、この通過確率を正確性、公正性を確保するために大入賞口６６０ａを構成する上傾斜板６８６、下傾斜板６８８、可変翼６８９、特定領域６６９等の寸法にはきびしい精度を確保している。
【０１１０】
さらに、入賞球の特定領域６６９の通過と大入賞口６６０ａへの入賞球数を個別にカウントすることも必要であり、図２６に例示するように、特定領域６６９を通過する入賞球を検出するためのＶスイッチ６６５および大入賞口６６０ａの入賞球を検出するためのカウントスイッチ６６４が設けられていることも前述実施形態と同様である。
【０１１１】
第６実施形態によれば、第１及び第２実施形態と同様の効果を享受することができる上、可変翼６８９の開口面積を可変とすることで、Ｖ入賞率（特定領域への遊技球の通過確率）を自在に変更することができ、遊技の多様な欲求を満足させることができる。
【０１１２】
第７実施形態のパチンコ機について図２８〜図３５を参照して説明する。本実施形態は、基本的には第６実施形態と同様であるが、Ｖ入賞率を物理的に設定することに代えて、これを乱数抽選によるソフトウェア制御に変更したものである。これに伴い特別電動役物６６０の構造を変更するとともにプログラム等も変更したものである。したがって、遊技盤と電気回路構成は図３０及び図３１に図示し、その他の共通する構成要素の説明と図示は第１及び第２実施形態を援用し、主として、異なる構成について説明する。尚、説明する場合には適宜第１実施形態の番号を流用することとする。尚、ソフトウェア制御に代えてハードウェアロジックでも実施ができる。
【０１１３】
特別電動役物７６０は、図１と同様パチンコ機の遊技盤に装着されており、その装着状態およびパチンコ機の形態は第１実施形態と同様であるので、それらの図示および説明は省略する。図２８および図２９に示すように、特別電動役物７６０は、箱状の機構収容部７９０、図示しない遊技盤との連結部を兼ねる縁部材７９１を備えており、縁部材７９１の裏面７９１ａを遊技盤に密着させるようにしてパチンコ機に装着されている。また、縁部材７９１の前面側に突出して通路部材７９２が設けられている。この通路部材７９２には、漏斗状の導球面７９３が設けられており、導球面７９３の中心部には落下口７９４が開口している。
【０１１４】
図２９に示すように、落下口７９４に連続する入賞球通路７９５には、遊技球の通過を検出する毎に入球信号を出力するカウントスイッチ７６４が設置されている。また入賞球通路７９５の下部には、機構収容部７９０（図２８参照）側へ貫通して遊技盤７２２の裏面に設置されている入賞球集合樋（図示略）に接続された排球路７９６が開口している。
【０１１５】
図２８および図２９に示すように、羽根部材７６２ａ，７６２ｂは、羽根７９９、羽根ソレノイド７６６ａ，７６６ｂ（図２８、図２９には示さない）等から構成されている。通路部材７９２の側壁７９７，７９７の延長面に沿って、羽根７９９が設置されている。これら羽根７９９は、下端部７９８内に揺動軸（図示略）が挿通されている。これら揺動軸の他端側に連結されている羽根ソレノイド７６６ａ，７６６ｂによって、実線で示す起立位置および図２９に破線で示す倒伏位置間で扇形に揺動される構成であり、倒伏位置では通路部材７９２と上部材８００との間に開口を形成する。すなわち、通路部材７９２と上部材８００との間に形成される大入賞口７６０ａは、羽根部材７６２ａ，７６２ｂの倒伏によって開放され起立によって閉鎖される。
【０１１６】
また、大入賞口７６０ａが開放された際には、遊技球が大入賞口７６０ａへと入賞可能となり、図２９に示されるように、入賞球は導球面７９３→落下口７９４→入賞球通路７９５→排球路７９６を経て入賞球集合樋へと排出され、カウントスイッチ７６４は入賞球が通過する毎に入球信号を出力する。
【０１１７】
図２８および図２９に示すように、羽根７９９には、縁部材７９１の張出部８０１に形成されたガイド溝８０２に係合する突起（図示略）が設けられており、この構成によって起立〜倒伏の範囲を規制されている。また、上部材８００には、ＬＣＤパネルユニット７３２ａが取り付けられている。また、上部材８００の頂部には、頂部入賞口７５０が設けられている。この頂部入賞口７５０は、大入賞口７６０ａの開閉とは無関係であり、ここへの入賞球は機構収容部７９０内に形成されている通路を経て入賞球集合樋へと排出される。
【０１１８】
図３１に示すように、主制御基板７３０は前述実施形態で述べたので、説明を以下に簡単に行う。カウントスイッチ７６４は、主制御基板７３０に接続されており、入賞球が通過したときにカウントスイッチ７６４が出力する入球信号ＳＩが主制御基板７３０へ入力される構成である。特別図柄作動スイッチ７３６ａへの入賞、又は、羽根作動スイッチ７６３ａ，７６３ｂから出力される始動信号ＳＳが主制御基板７３０へ入力される構成である。その他は同様であるから説明を割愛する。
【０１１９】
次に、この主制御基板７３０で実行される継続判定と併せて特別電動役物７６０の作動について説明するが、これに先だって、カウンタ７５７にて実行されるラウンド継続判定処理のための乱数抽出ルーチンについて説明する。この乱数抽出ルーチンはパチンコ機の稼動中は継続的に実行されている。
【０１２０】
図３４（ａ）は第１の条件に起因する乱数抽出ルーチンであり、図３４（ｂ）は第２の条件に起因する乱数抽出ルーチンであり、概ね同様の処理内容であるから、図３４（ａ）のみを説明し、図３４（ｂ）の説明は割愛する。図３４（ａ）において、パチンコ機の電源がオンとなって乱数抽出ルーチンを開始すると、カウンタ７５７はカウント値Ｎ１を０に設定する（ステップＳ７３０）。続いて主制御基板７３０からの出力要求の有無を判定する（ステップＳ７３１）。ステップＳ７３１で出力要求ありと判定されれば、カウンタ７５７はステップＳ７３２に進んで、主制御基板７３０へＮ１を出力する。ステップＳ７３１で出力要求無しと判定された場合並びにステップＳ７３２の処理を実施した後、カウンタ７５７はＮ＝２を判定する（ステップＳ７３３）。ここでＮ＝２であればカウンタ７５７はステップＳ７３０へ回帰して上述の処理を繰り返す。他方Ｎ≠２であれば、カウンタ７５７はＮ１をインクリメントしてステップＳ７３１へ回帰する。すなわち、カウンタ７５７はＮ１として０〜２を繰り返してカウントし、主制御基板７３０からの要求がある毎にＮ１を出力することになる。
【０１２１】
次に、主制御基板７３０で実行される第１の条件及び第２の条件による大当り判定ルーチンを説明する。なお、大当り判定ルーチンは、予め設定されたタイミングによる時間割込により、パチンコ機の稼動中を通じて繰り返し実行される。
【０１２２】
図３５に示すように、第１の条件による大当り判定ルーチンを開始した主制御基板７３０は、特別図柄作動スイッチ７３６ａからの始動信号ＳＫの有無を判定する（ステップＳ７４０）。ここで始動信号ＳＫの入力があれば、次のステップＳ７４１へ進み、ＮＯであればこのルーチンを一旦終了する。
【０１２３】
ステップＳ７４１に進むと、主制御基板７３０は、カウンタ７５７から大当り抽選値Ｎ（前述第１実施形態での通り０〜３２９までの３３０の値）を前記始動のタイミングで読み込みメモリに記憶させる。次に当該抽選値が大当り値か否かを判定する（ステップＳ７４２）。ここで、大当り値であれば、主制御基板７３０はステップＳ７４３へ進み、図３２の継続判定ルーチンへ進み、大当り値でなければ、このルーチンを一旦終了する。
【０１２４】
図３６に示すように、第２の条件による大当り判定ルーチンを開始した主制御基板７３０は、羽根作動スイッチ７６３ａ又は７６３ｂからの始動信号ＳＳの有無を判定する（ステップＳ７５０）。ここで始動信号ＳＳの入力があれば、次のステップＳ７５１へ進み、ＮＯであればこのルーチンを一旦終了する。
【０１２５】
ステップＳ７５１に進むと、主制御基板７３０は、ソレノイド駆動信号を出力して羽根ソレノイド７６６ａ，７６６ｂを揺動駆動し、羽根７９９を倒伏させることにより大入賞口７６０ａを開口させる。次に主制御基板７３０はカウントスイッチ７６４からの入球信号ＳＩの有無を判定する（ステップＳ７５２）。ここで、入球信号ＳＩの入力がなければ、主制御基板７３０はステップＳ７５３へ進み、入球信号ＳＩの入力があればステップＳ７５４へ進む。ステップＳ７５３では、主制御基板７３０は、タイマ回路７５６の出力に基づいて羽根ソレノイド７６６ａ，７６６ｂの駆動から０．９秒経過したかを判定する。ここで、未経過であればステップＳ７５２へ回帰し、０．９秒を経過したと判定すればステップＳ７５５へ進む。ステップＳ７５５に進むと、主制御基板７３０は、ソレノイド駆動信号を停止して羽根ソレノイド７６６ａ，７６６ｂの稼動を停止させることで、倒伏されていた羽根７９９を復帰させて大入賞口７６０ａを閉鎖させて、本ルーチンを終了する。
【０１２６】
一方、ステップＳ７５２で入球信号ＳＩ有りと判定されてステップＳ７５４へ進むと、主制御基板７３０はカウンタ７５７にカウント値Ｎ２の出力を要求してこれを読み込む。続くステップＳ７５６では、主制御基板７３０は、Ｎ２＝０を判定し、Ｎ２≠０であればステップＳ７５３へ回帰し、Ｎ２＝０であればステップＳ７５７へ進んで継続判定サブルーチンを開始する。
【０１２７】
図３２に示すように、継続判定サブルーチンは、第３実施形態の図２１に示す継続判定サブルーチンにステップＳ７０９Ａを付加したものであり、説明は援用する。即ち、ステップＳ７０９のＶ入賞判定サブルーチンからリターンすると、主制御基板７３０はステップＳ７０９ＡでＣＩ＝１０であるかを判定する。ここでＣＩ≠１０、つまり今回の入賞球が１０球目ではないと判定されれば、主制御基板７３０はステップＳ７１０へ進む。また、上述のステップＳ７０６で入球信号ＳＩの入力なしと判定された場合も、主制御基板７３０はステップＳ７１０へ移行する。上述のステップＳ７０８で入球数ＣＩが１０を越えたと判定された場合およびステップＳ７０９Ａにおいて入球数ＣＩが１０であると判定された場合、ステップＳ７１１に進む。つまり、入賞球が１０球以上となるか開放状態の開始後３０秒を経過すれば、開放状態は終了される。ただし、１０球目の入賞球についてはＶ入賞判定サブルーチンを実行してから開放状態を終了することになる。
【０１２８】
上述のように入球信号ＳＩがある毎に出力されるカウンタ７５７のカウント値Ｎ１＝０又はＮ２＝０であるかにより継続するかどうかの当たりを判定しているので、開放状態の継続、不継続は入賞球の検出タイミングに基づくことになる。このため、継続条件の成立を判定するための特別領域等を設ける必要はなくなり、部材の寸法、形状などの精度や釘の調整など他の条件の制約から解放されて、特別電動役物の設計の自由度を高めることができ、従来にないようなタイプの遊技機を実現することができる。また、特別電動役物７６０への入賞球を検出するカウントスイッチ７６４は１箇所に設置するだけで良いので、機構が簡素化される。しかも、継続ありの場合には、これを遊技者に認知させることができる。
【０１２９】
なお、上述の当たりの判定においては、カウンタ７５７は０〜２又は０〜９を繰り返しカウントする構成としカウント値Ｎ１＝０又はＮ２＝０にて当たりと判定しているが、この判定方法はこれに限定されるものではない。例えば、カウンタ７５７は０〜任意の上限値（例えば２５５）までカウントするものとし、このカウント値を１０で割って余りが０であれば当たりとする等、様々な手法を採用できる。あるいは、特定の数値（上述の例では０）と一致することで当たりとするのみならず、特定の数値（例えば１〜９）と一致しないことによって当たりと定することも可能である。
【０１３０】
図３３に示すＶ入賞判定サブルーチンは図３２のステップＳ７０９のサブルーチンであり、まず処理を開始すると主制御基板７３０は当たりフラグＦ＝１であるかを判定する（ステップＳ７２０）。ステップＳ７２１で第１の条件か否か判定し、ＹＥＳ（第１の条件）ならステップＳ７２２へ、ＮＯ（第２の条件）ならステップＳ７２３へ進む。次に、主制御基板７３０は、ステップＳ７２２でカウンタ７５７に出力を要求しそのカウント値Ｎ１を読み込む（ステップＳ７２２）。続いて、主制御基板７３０はＮ１＝０を判定する（ステップＳ７２４）。ここでＮ１＝０であれば、ステップＳ７２５へ進み、当たりフラグＦを１とする。さらに、主制御基板７３０は、続くステップＳ７２６でＬＣＤパネルユニット７３２ａに表示信号を出力した後、本サブルーチンを終えてリターンする。また、上述のステップＳ７２０でＦ＝１と判定された場合およびステップＳ７２４でＮ１≠０と判定された場合も、主制御基板７３０は本サブルーチンを終えてリターンする。ステップＳ７２３，Ｓ７２７でも同様の処理を行う。つまり、Ｖ入賞判定サブルーチンでは、第１の条件の場合、カウンタ７５７のカウント値Ｎ１が０であるかを判定することによって、１／３の確率で当たりを判定し、或いは、第２の条件の場合、カウンタ７５７のカウント値Ｎ２が０であるかを判定することによって、１／１０の確率で当たりを判定していることになる。また、当たりと判定された際には、ＬＣＤパネルユニット７３２ａにその旨を表示することによってこれを表示しているので、当たりであることを遊技者が認知できる。
【０１３１】
第７実施形態によれば、第１及び第２実施形態と同様の効果を享受することができる上、Ｖ入賞率を乱数の設定によって自在に変更することができ、遊技の多様な欲求を満足させることができとともに、継続条件の成立を判定するための特別領域等を設ける必要はなくなり、部材の寸法、形状などの精度や釘の調整など他の条件の制約から解放されて、特別電動役物の設計の自由度を高めることができ、従来にないようなタイプの遊技機を実現することができる。
【０１３２】
なお、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。例えば、特別図柄表示装置を電動役物と分離し電動役物の外部領域に設けても良いし、特別図柄作動口と羽根作動口とを隣接させる等、それらの位置の相対関係も変更が可能である。確率変動機能の有無も適宜採択可能である。
【０１３３】
【発明の効果】
本発明により、従来の第１種ないし第３種に区分された遊技機の壁を超え、創造性豊かな遊技機を提供することができる。また、連続作動が実行されていない通常時に遅延期間又は無効期間を設定したことで、仮に、有効期間内に再び特定作動口への入球があっても、この有効期間中には電動役物は作動しない。この結果、通常時における有効期間が重複するといったことや連続となることを防止できる。
【図面の簡単な説明】
【図１】本発明を採用した第１実施形態のパチンコ機１０を示す外観斜視図である。
【図２】第１実施形態のパチンコ機１０を裏面からみた裏面図である。
【図３】同パチンコ機１０の遊技盤２２の構成を示す正面図である。
【図４】同パチンコ機１０の停留装置７０付近の構成を示す平面図である。
【図５】同パチンコ機１０の誘導装置８０の構成を示す正面図である。
【図６】同パチンコ機１０の電気的構成を示すブロック図である。
【図７】第１実施形態の主制御基板３０で実行される「メインルーチン」の処理を示すフローチャートである。
【図８】（ａ）は「メインルーチン」で作成される初期乱数の更新処理を示す図、（ｂ）は「メインルーチン」で作成される当否乱数の更新処理の一例を示す図である。
【図９】主制御基板３０で実行される「高確率判定ルーチン」の処理を示すフローチャートである。
【図１０】主制御基板３０で実行される「確率変動判定乱数抽出ルーチン」の処理を示すフローチャートである。
【図１１】（ａ）は主制御基板３０で実行される「羽根開放時間制御ルーチン」の処理を示すフローチャート、（ｂ）は主制御基板３０で実行される「誘導確率制御ルーチン」の処理を示すフローチャートである。
【図１２】（ａ）は主制御基板３０で実行される「羽根開放回数制御ルーチン」の処理を示すフローチャート、（ｂ）はＬＣＤパネルユニット３２ａの画面上の画像を例示する正面図である。
【図１３】（ａ）は図柄制御基板３２ｂで実行される「通常表示ルーチン」の処理を示すフローチャート、（ｂ）は図柄制御基板３２ｂで実行される「大当り回数表示ルーチン」の処理を示すフローチャートである。
【図１４】役物連続動作の停止に伴う有効信号のＯＮ・ＯＦＦ、始動入賞に伴う羽根の開閉動作を示すタイミングチャートである。
【図１５】該動作の変更形態を示すタイミングチャートである。
【図１６】第２実施形態のパチンコ機の遊技盤２２２の構成を示す正面図である。
【図１７】同パチンコ機の電気的構成を示すブロック図である。
【図１８】同第２実施形態における役物連続動作の停止に伴う有効信号のＯＮ・ＯＦＦ、始動入賞に伴う羽根の開閉動作を示すタイミングチャートである。
【図１９】第３実施形態のパチンコ機の遊技盤３２２の構成を示す正面図である。
【図２０】同パチンコ機の電気的構成を示すブロック図である。
【図２１】同じく「継続判定ルーチン」を示すフローチャートである。
【図２２】同じく「Ｖ入賞判定ルーチン」を示すフローチャートである。
【図２３】第４実施形態の「継続判定ルーチン」を示すフローチャートである。
【図２４】同じく「Ｖ入賞判定ルーチン」を示すフローチャートである。
【図２５】第５実施形態の「継続判定ルーチン」を示すフローチャートである。
【図２６】第６実施形態の特別電動役物６６０の内部構造を示す説明図である。
【図２７】同じく部分拡大図である。
【図２８】第７実施形態の特別電動役物７６０を示す説明図である。
【図２９】同特別電動役物７６０の内部構造を示す説明図である。
【図３０】同パチンコ機の遊技盤７２２の構成を示す正面図である。
【図３１】同パチンコ機の電気的構成を示すブロック図である。
【図３２】同じく「継続判定ルーチン」の処理を示すフローチャートである。
【図３３】同じく「Ｖ入賞判定ルーチン」の処理を示すフローチャートである。
【図３４】同じく「乱数抽出ルーチン」の処理を示すフローチャートである。
【図３５】同じく「第１の条件による大当り判定ルーチン」の処理を示すフローチャートである。
【図３６】同じく「第２の条件による大当り判定ルーチン」の処理を示すフローチャートである。
【符号の説明】
１０…パチンコ機、２２…遊技盤、２４…発射ハンドル、
２４ａ…タッチスイッチ、３０…主制御基板、３１…賞球制御基板、
３２ａ…ＬＣＤパネルユニット、３２ｂ…図柄制御基板、
３３…発射制御基板、３５…音制御基板、
３６…普通電動役物（特別図柄作動口）
３６ａ…特別図柄作動スイッチ、３７…普通図柄表示装置、
６０…特別電動役物、６１ａ，６１ｂ…羽根作動口、
６２ａ，６２ｂ…羽根、６５…Ｖスイッチ（ＶＳＷ）、
６４…カウントスイッチ（カウントＳＷ）
６６ａ，６６ｂ…羽根ソレノイド、６９…Ｖ通過口
【図１】
0003669566.tif 000004
【図２】
0003669566.tif 000005
【図３】
0003669566.tif 000006
【図４】
0003669566.tif 000007
【図５】
0003669566.tif 000008
【図６】
0003669566.tif 000009
【図７】
0003669566.tif 000010
【図８】
0003669566.tif 000011
【図９】
0003669566.tif 000012
【図１０】
0003669566.tif 000013
【図１１】
0003669566.tif 000014
【図１２】
0003669566.tif 000015
【図１３】
0003669566.tif 000016
【図１４】
0003669566.tif 000017
【図１５】
0003669566.tif 000018
【図１６】
0003669566.tif 000019
【図１７】
0003669566.tif 000020
【図１８】
0003669566.tif 000021
【図１９】
0003669566.tif 000022
【図２０】
0003669566.tif 000023
【図２１】
0003669566.tif 000024
【図２２】
0003669566.tif 000025
【図２３】
0003669566.tif 000026
【図２４】
0003669566.tif 000027
【図２５】
0003669566.tif 000028
【図２６】
0003669566.tif 000029
【図２７】
0003669566.tif 000030
【図２８】
0003669566.tif 000031
【図２９】
0003669566.tif 000032
【図３０】
0003669566.tif 000033
【図３１】
0003669566.tif 000034
【図３２】
0003669566.tif 000035
【図３３】
0003669566.tif 000036
【図３４】
0003669566.tif 000037
【図３５】
0003669566.tif 000038
【図３６】
0003669566.tif 000039